(57)【特許請求の範囲】
【請求項１】
原稿用紙に形成された画像を読み取って画像データを生成し、生成した画像データに基づく画像を記録用紙に形成するコピー処理を実行可能なコピー装置であって、
表示手段と、
前記表示手段へのタッチ入力、および、フリック入力を検出する入力検出手段と、
前記コピー処理の複数の設定が予め組み合わされた設定の組である複数のプリセット設定組と、前記表示手段に１度に表示可能な数よりも多数のプリセット設定組アイコンと、の対応情報を記憶するプリセット設定組記憶手段と、
前記プリセット設定組アイコンのうちいずれか１つのプリセット設定組アイコンを選択するために、前記多数のプリセット設定組アイコンのうち前記表示手段に１度に表示可能な数のプリセット設定組アイコンを含むプリセット設定組アイコン選択画面を前記表示手段に表示させるプリセット設定組アイコン選択画面表示制御手段と、
前記プリセット設定組アイコン選択画面表示制御手段によって前記プリセット設定組アイコン選択画面が前記表示手段に表示されている状態において、前記プリセット設定組アイコン選択画面に含まれているプリセット設定組アイコンを前記プリセット設定組アイコン選択画面に含まれないようにさせ、前記多数のプリセット設定組アイコンのうち前記プリセット設定組アイコン選択画面に含まれていないプリセット設定組アイコンを前記プリセット設定組アイコン選択画面に含まれるようにさせるよう、前記多数のプリセット設定組アイコンをスクロールさせるプリセット設定組アイコンスクロール制御を行うプリセット設定組アイコンスクロール制御手段と、
スタートボタンへの操作に対して前記コピー処理を実行する際に用いられる設定値として、前記複数のプリセット設定組アイコンのうち選択されたプリセット設定組アイコンに対応するプリセット設定組の設定値を選択するプリセット設定組選択手段と、
前記プリセット設定組選択手段が選択したプリセット設定組の設定値を用いたコピー処理の実行に用いられる設定値であって、記録用紙の種類、記録用紙のサイズ、拡大縮小の指定、の設定値の変更操作を利用者にさせるために、記録用紙の種類、記録用紙のサイズ、拡大縮小の指定を含む複数の設定項目のうち前記表示手段に１度に表示可能な数の設定項目を含む設定項目表示画面を前記表示手段に表示させる設定項目表示制御手段と、
前記設定項目表示制御手段によって前記設定項目表示画面が前記表示手段に表示されている状態において、前記表示手段の、前記設定項目が表示されている領域であり、かつ、タッチ入力を受付可能な領域へのタッチ入力を伴う、利用者による変更操作によって、前記プリセット設定組選択手段が選択したプリセット設定組の設定値を変更する設定値変更手段と、
スタートボタンへの操作に対して、前記プリセット設定組選択手段が選択した設定値が前記設定値変更手段によって変更されていない場合は、前記プリセット設定組選択手段が選択したプリセット設定組の設定値を用いたコピー処理を実行し、前記プリセット設定組選択手段が選択した設定値が前記設定値変更手段によって変更された場合は、変更された設定値を用いたコピー処理を実行するコピー処理実行手段と、
を備え、
前記プリセット設定組アイコン選択画面表示制御手段によって前記プリセット設定組アイコン選択画面が前記表示手段に表示されている状態において、前記表示手段への第１のフリック入力がなされたことに対応する信号の前記入力検出手段からの出力と、前記第１のフリック入力と異なるタッチ入力である第２のタッチ入力が前記表示手段へなされたことに対応する信号の前記入力検出手段からの出力と、が行われたことによって、前記第１のフリック入力とも前記第２のタッチ入力とも異なるフリック入力またはタッチ入力が前記表示手段へなされたことに対応する信号が前記入力検出手段から出力されることを必要とせず、前記プリセット設定組アイコンスクロール制御手段によるプリセット設定組アイコンスクロール制御と、前記プリセット設定組選択手段による設定値の選択と、前記設定項目表示制御手段による設定項目表示画面の表示とが行われ、
前記プリセット設定組アイコンスクロール制御手段によるプリセット設定組アイコンスクロール制御は、前記プリセット設定組アイコン選択画面表示制御手段によって前記プリセット設定組アイコン選択画面が前記表示手段に表示されている状態において、前記表示手段の、前記プリセット設定組アイコンが表示されている領域であり、かつ、前記第１のフリック入力を受付可能な領域への前記第１のフリック入力がなされたことに対応する信号の前記入力検出手段からの出力が行われたことによって行われ、
前記設定項目表示制御手段による設定項目表示画面の表示は、前記プリセット設定組アイコンスクロール制御手段によるプリセット設定組アイコンスクロール制御が行われた後に、前記表示手段内の、前記プリセット設定組アイコン選択画面表示制御手段によって前記プリセット設定組アイコン選択画面が前記表示手段に表示されている状態において前記第２のタッチ入力を受付可能な領域への前記第２のタッチ入力がなされたことに対応する信号の前記入力検出手段からの出力が行われたことによって行われ、
前記表示手段内の、前記プリセット設定組アイコン選択画面表示制御手段によって前記プリセット設定組アイコン選択画面が前記表示手段に表示されている状態において前記プリセット設定組アイコンが表示されている領域であり、かつ、前記第１のフリック入力を受付可能な領域と、前記表示手段内の、前記プリセット設定組アイコン選択画面表示制御手段によって前記プリセット設定組アイコン選択画面が前記表示手段に表示されている状態において前記第２のタッチ入力を検出可能な領域と、はいずれも、前記設定項目表示制御手段が前記設定項目表示画面を前記表示手段に表示するときに、前記設定項目表示制御手段が前記設定項目を表示する領域であり、かつ、タッチ入力を受付可能な領域と重複する領域である、
ことを特徴とするコピー装置。
【請求項２】
原稿用紙に形成された画像を読み取って画像データを生成し、生成した画像データに基づく画像を記録用紙に形成するコピー処理を実行可能なコピー装置であって、
表示手段と、
前記表示手段へのタッチ入力、および、ムーブ入力を検出する入力検出手段と、
前記コピー処理の複数の設定が予め組み合わされた設定の組である複数のプリセット設定組と、前記表示手段に１度に表示可能な数よりも多数のプリセット設定組アイコンと、の対応情報を記憶するプリセット設定組記憶手段と、
前記プリセット設定組アイコンのうちいずれか１つのプリセット設定組アイコンを選択するために、前記多数のプリセット設定組アイコンのうち前記表示手段に１度に表示可能な数のプリセット設定組アイコンを含むプリセット設定組アイコン選択画面を前記表示手段に表示させるプリセット設定組アイコン選択画面表示制御手段と、
前記プリセット設定組アイコン選択画面表示制御手段によって前記プリセット設定組アイコン選択画面が前記表示手段に表示されている状態において、前記プリセット設定組アイコン選択画面に含まれているプリセット設定組アイコンを前記プリセット設定組アイコン選択画面に含まれないようにさせ、前記多数のプリセット設定組アイコンのうち前記プリセット設定組アイコン選択画面に含まれていないプリセット設定組アイコンを前記プリセット設定組アイコン選択画面に含まれるようにさせるよう、前記多数のプリセット設定組アイコンをスクロールさせるプリセット設定組アイコンスクロール制御を行うプリセット設定組アイコンスクロール制御手段と、
スタートボタンへの操作に対して前記コピー処理を実行する際に用いられる設定値として、前記複数のプリセット設定組アイコンのうち選択されたプリセット設定組アイコンに対応するプリセット設定組の設定値を選択するプリセット設定組選択手段と、
前記プリセット設定組選択手段が選択したプリセット設定組の設定値を用いたコピー処理の実行に用いられる設定値であって、記録用紙の種類、記録用紙のサイズ、拡大縮小の指定、の設定値の変更操作を利用者にさせるために、記録用紙の種類、記録用紙のサイズ、拡大縮小の指定を含む複数の設定項目のうち前記表示手段に１度に表示可能な数の設定項目を含む設定項目表示画面を前記表示手段に表示させる設定項目表示制御手段と、
前記設定項目表示制御手段によって前記設定項目表示画面が前記表示手段に表示されている状態において、前記表示手段の、前記設定項目が表示されている領域であり、かつ、タッチ入力を受付可能な領域へのタッチ入力を伴う、利用者による変更操作によって、前記プリセット設定組選択手段が選択したプリセット設定組の設定値を変更する設定値変更手段と、
スタートボタンへの操作に対して、前記プリセット設定組選択手段が選択した設定値が前記設定値変更手段によって変更されていない場合は、前記プリセット設定組選択手段が選択したプリセット設定組の設定値を用いたコピー処理を実行し、前記プリセット設定組選択手段が選択した設定値が前記設定値変更手段によって変更された場合は、変更された設定値を用いたコピー処理を実行するコピー処理実行手段と、
を備え、
前記プリセット設定組アイコン選択画面表示制御手段によって前記プリセット設定組アイコン選択画面が前記表示手段に表示されている状態において、前記表示手段への第１のムーブ入力がなされたことに対応する信号の前記入力検出手段からの出力と、前記第１のムーブ入力と異なるタッチ入力である第２のタッチ入力が前記表示手段へなされたことに対応する信号の前記入力検出手段からの出力と、が行われたことによって、前記第１のムーブ入力とも前記第２のタッチ入力とも異なるムーブ入力またはタッチ入力が前記表示手段へなされたことに対応する信号が前記入力検出手段から出力されることを必要とせず、前記プリセット設定組アイコンスクロール制御手段によるプリセット設定組アイコンスクロール制御と、前記プリセット設定組選択手段による設定値の選択と、前記設定項目表示制御手段による設定項目表示画面の表示とが行われ、
前記プリセット設定組アイコンスクロール制御手段によるプリセット設定組アイコンスクロール制御は、前記プリセット設定組アイコン選択画面表示制御手段によって前記プリセット設定組アイコン選択画面が前記表示手段に表示されている状態において、前記表示手段の、前記プリセット設定組アイコンが表示されている領域であり、かつ、前記第１のムーブ入力を受付可能な領域への前記第１のムーブ入力がなされたことに対応する信号の前記入力検出手段からの出力が行われたことによって行われ、
前記設定項目表示制御手段による設定項目表示画面の表示は、前記プリセット設定組アイコンスクロール制御手段によるプリセット設定組アイコンスクロール制御が行われた後に、前記表示手段内の、前記プリセット設定組アイコン選択画面表示制御手段によって前記プリセット設定組アイコン選択画面が前記表示手段に表示されている状態において前記第２のタッチ入力を受付可能な領域への前記第２のタッチ入力がなされたことに対応する信号の前記入力検出手段からの出力が行われたことによって行われ、
前記表示手段内の、前記プリセット設定組アイコン選択画面表示制御手段によって前記プリセット設定組アイコン選択画面が前記表示手段に表示されている状態において前記プリセット設定組アイコンが表示されている領域であり、かつ、前記第１のムーブ入力を受付可能な領域と、前記表示手段内の、前記プリセット設定組アイコン選択画面表示制御手段によって前記プリセット設定組アイコン選択画面が前記表示手段に表示されている状態において前記第２のタッチ入力を検出可能な領域と、はいずれも、前記設定項目表示制御手段が前記設定項目表示画面を前記表示手段に表示するときに、前記設定項目表示制御手段が前記設定項目を表示する領域であり、かつ、タッチ入力を受付可能な領域と重複する領域である、
ことを特徴とするコピー装置。
【発明の詳細な説明】
【技術分野】
【０００１】
本発明は、コピー装置に関する。
【背景技術】
【０００２】
従来、プリント機能、スキャン機能、コピー機能、及びファクシミリ送受信機能などの各種機能を兼ね備えた複合機（ＭＦＰ；Multifunction Peripheral）において、タッチパネルディスプレイを備えるものが知られている。このような複合機では、上述のような各種機能を利用するに当たって、タッチパネルディスプレイ上での利用者操作により、各種パラメータの設定変更を行うことができる。
【０００３】
また、複数の設定項目の各々を、アイコンとして表示画面内の第１領域に表示する技術がある。当該技術では、第１領域内のいずれかのアイコンを選択すると、選択されたアイコンが、第１領域とは別の領域である第２領域に表示される。
【先行技術文献】
【特許文献】
【０００４】
【特許文献１】特開２００７−１４８９０９号公報
【発明の概要】
【発明が解決しようとする課題】
【０００５】
しかしながら、上述した技術では、画像処理装置の表示画面を有効に活用することが困難である。本明細書では、表示画面を有効に利用することができる技術を提供する。
【課題を解決するための手段】
【０００６】
本実施形態に記載の画像処理装置は、原稿から画像を読み取る画像読取機構、及び被記録媒体に対して画像を形成する画像形成機構のうち、少なくとも一方である画像処理機構と、画像を表示し、指示体による表示画面へのタッチ入力を検出する表示手段と、画像処理機構による画像処理に関する複数の設定が予め組み合わされた設定の組であるプリセット設定組を複数記憶するプリセット設定組記憶手段と、複数のプリセット設定組それぞれに対応する複数のアイコンのうち、一つのアイコンは選択状態にあることを示す態様である選択状態態様で表示手段に表示させ、残りのアイコンのうちの少なくとも１つを非選択状態にあることを示す態様であって選択状態にあることを示す態様とは異なる態様である非選択状態態様で表示手段に表示させ、かつ、一つのアイコンを一の位置に表示し、残りのアイコンを一の位置の近傍領域に表示させるプリセット設定組選択画面表示制御手段と、プリセット設定組選択画面表示制御手段によってアイコンが表示手段に表示されている状態において、スタートボタンに対する利用者操作が受け付けられた場合に、選択状態態様で表示されているアイコンに対応するプリセット設定組の設定値に従って画像処理機構を制御することにより、画像処理機構による画像処理を実行する画像処理機構制御手段と、を備え、プリセット設定組選択画面表示制御手段は、アイコンが表示手段に表示されている状態において、残りのアイコンのうちから選択される１つのアイコンである特定アイコンに対応する表示画面内の位置が指示体によってタッチされたことに対応する信号が表示手段から出力されると、近傍領域に位置していた特定アイコンを一の位置に移動させるとともに、一の位置に位置していた１つのアイコンを特定アイコンの移動方向と同一方向に移動させることによって近傍領域に位置させ、一の位置に移動された特定アイコンを新たな一つのアイコンとして選択状態態様で表示させ、新たな一つのアイコンとは異なる残りのアイコンを非選択状態態様で表示させることを特徴とする。本実施形態に記載の画像処理装置は、原稿から画像を読み取る画像読取機構、及び被記録媒体に対して画像を形成
する画像形成機構のうち、少なくとも一方である画像処理機構と、画像を表示し、指示体による表示画面へのタッチ入力を検出する表示手段と、前記画像処理機構による画像処理に関する複数の設定が予め組み合わされた設定の組であるプリセット設定組を複数記憶するプリセット設定組記憶手段と、前記複数のプリセット設定組それぞれに対応する複数のアイコンのうち、一つのアイコンは選択状態にあることを示す態様である選択状態態様で前記表示手段に表示させ、残りのアイコンのうちの少なくとも１つを非選択状態にあることを示す態様であって前記選択状態にあることを示す態様とは異なる態様である非選択状態態様で前記表示手段に表示させ、かつ、前記一つのアイコンを一の位置に表示し、前記残りのアイコンを前記一の位置の近傍領域に表示させるプリセット設定組選択画面表示制御手段と、前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行する画像処理機構制御手段と、を備え、前記プリセット設定組選択画面表示制御手段は、前記アイコンが前記表示手段に表示されている状態において、前記アイコンに対応する領域上を前記指示体によるタッチ位置が一の方向へ移動することに対応する信号が前記表示手段から出力されると、前記複数のアイコンを前記タッチ位置の移動に応じて前記一の方向へ移動させるようにスクロール表示させ、前記タッチ位置が検出されなくなることを条件として、複数のアイコンのうち、前記一の位置に最も近い位置に表示されるアイコンを、新たな一つのアイコンとして前記一の位置に前記選択状態態様で表示させ、前記新たな一つのアイコンとは異なる残りのアイコンを前記非選択状態態様で表示させることを特徴としてもよい。
【０００７】
本実施形態に記載の画像処理装置によれば、選択状態である一つのアイコンを一の位置に選択状態態様で表示することにより、その時点で選択されているプリセット設定組をユーザに認識させることが可能となる。また、一の位置に一つのアイコンが表示されている状態で、残りのアイコンのうちから特定アイコンが選択されると、特定アイコンを一の位置に移動させるとともに、一の位置に移動された特定アイコンを新たな一つのアイコンとして選択状態態様で表示させることができる。これにより、一つのアイコンおよび残りのアイコンのうちから何れかのアイコンを選択する操作を受け付ける画面を用いて、選択状態である一つのアイコンをユーザに認識させることができる。よって、一つのアイコンが選択状態である旨の情報を、他の領域に別途表示する場合などに比して、表示画面を有効に利用することが可能となる。
【０００８】
本実施形態に記載の画像処理装置は、さらに、前記選択状態態様で表示されるアイコンは、選択状態であることを示す特定画像が付加された状態で表示されることを特徴としてもよい。本実施形態に記載の画像処理装置によれば、選択状態態様で表示されるアイコンに、特定画像が付加されて表示される。これにより、一つのアイコンが選択状態であることを、ユーザに認識させやすくすることができる。
【０００９】
本実施形態に記載の画像処理装置は、さらに、前記一の位置に表示されている前記一つのアイコンと、前記近傍領域に表示されている前記残りのアイコンとは、一列に並んだ状態で表示されることを特徴としてもよい。本実施形態に記載の画像処理装置によれば、一列に並んでいる複数のアイコンの各々を移動させることにより、何れか１つのアイコンを一の位置に位置させることができる。これにより、一の位置に位置させたいアイコンを、一列に表示されている複数のアイコンの中から見つけ出せばよいため、一つのアイコンを選択する操作を簡易化することが可能となる。
【００１０】
本実施形態に記載の画像処理装置は、さらに、前記複数のアイコンは一列に並んで表示されており、前記プリセット設定組選択画面表示制御手段は、前記一つのアイコンを前記
一の位置に表示させ、前記残りのアイコンのうち前記一つのアイコンの１つ前の順番のアイコンを、前記一の位置に対して第１方向側に隣接する前記近傍領域に表示させ、前記残りのアイコンのうち前記一つのアイコンの１つ後の順番のアイコンを、前記一の位置に対して前記第１方向の反対側に隣接する前記近傍領域に表示させることを特徴としてもよい。本実施形態に記載の画像処理装置によれば、一の位置の両隣側に、残りのアイコンを表示することができる。これにより、一の位置に位置させたいアイコンを、一の位置の両隣に表示されているアイコンの中から見つけ出せばよいため、一つのアイコンを選択する操作を簡易化することが可能となる。
【００１１】
本実施形態に記載の画像処理装置は、さらに、前記プリセット設定組選択画面表示制御手段は、アイコンを移動させている移動期間中においては、移動中のアイコンの全てを前記非選択状態態様で表示させ、前記移動期間の終了後に、前記新たな一つのアイコンを前記選択状態態様で表示させることを特徴としてもよい。本実施形態に記載の画像処理装置によれば、アイコンを移動させている移動期間中においては、移動中のアイコンの全てを非選択状態態様で表示させることができる。これにより、アイコンを移動させる画像処理を実行する際の、表示手段の処理負担を軽減することが可能となる。
【００１２】
本実施形態に記載の画像処理装置は、さらに、前記プリセット設定組選択画面表示制御手段は、所定の画像を表示する指示の入力を受け付けることに応じて、前記一の位置に位置していた前記一つのアイコンを、前記一の位置よりも前記表示手段の表示画面の外周部に近い位置である退避位置に移動させるとともに、前記一の位置を含む領域に、各種の情報を示す画像を表示させることを特徴としてもよい。本実施形態に記載の画像処理装置によれば、所定の指示の入力を受け付けることに応じて、一つのアイコンを、一の位置から退避位置へ移動させることができる。これにより、表示手段の表示画面の中央付近に、所定の画像を表示させるためのスペースを形成することが可能となる。
【００１３】
本実施形態に記載の画像処理装置は、さらに、前記一の位置は、第１基準位置を備えており、前記複数のアイコンの各々は、第２基準位置を備えており、前記プリセット設定組選択画面表示制御手段は、前記タッチ位置が検出されなくなることを条件として、前記第２基準位置が第１基準位置を前記一の方向側に越えていない複数のアイコンのうちから、前記一の位置に最も近い位置に表示されるアイコンを、前記新たな一つのアイコンとすることを特徴としてもよい。本実施形態に記載の画像処理装置によれば、複数のアイコンが一の方向へ移動するようにスクロール表示された場合に、一の位置を一の方向へ越えて移動するアイコンが一の位置に表示されることが防止できる。これにより、一の位置を行き過ぎたアイコンが一の方向と逆方向に移動して一の位置へ戻る、というようなスクロール表示が行われないため、より自然なスクロール表示を実行することが可能となる。
【００１４】
本実施形態に記載の画像処理装置は、さらに、前記画像処理装置は、該画像処理装置の状態を検出する装置状態検出手段をさらに備え、前記プリセット設定組選択画面表示制御手段は、前記装置状態検出手段によって検出された装置状態に基づいて前記新たな一つのアイコンとして決定することが可能であると判断されるアイコンの中から、前記新たな一つのアイコンを決定することを特徴としてもよい。本実施形態に記載の画像処理装置によれば、画像処理装置の装置状態に対応しているアイコンのみを、新たな一つのアイコンの選択対象にすることができる。これにより、使用することができない状態の機能に関連するアイコンを選択してしまう事態を防止することができる。
【００１５】
本実施形態に記載の画像処理装置は、さらに、前記プリセット設定組選択画面表示制御手段は、前記アイコンが前記表示手段に表示されている状態において、前記アイコンに対応する領域上を前記指示体によるタッチ位置が一の方向へ移動することに対応する信号が前記表示手段から出力されると、前記複数のアイコンを前記タッチ位置の移動に応じて前
記一の方向へ移動させるようにスクロール表示させ、前記タッチ位置が検出されなくなることを条件として、前記新たな一つのアイコンとして決定することが可能であると判断されるアイコンのうち、前記一の位置に最も近い位置に表示されるアイコンを、前記新たな一つのアイコンとすることを特徴としてもよい。本実施形態に記載の画像処理装置によれば、複数のアイコンが一の方向へ移動するようにスクロール表示された場合に、使用することができない状態の機能に関連するアイコンが一の位置に表示されることが防止できる。
【００１６】
本実施形態に記載の画像処理装置を実現するためのプログラムは、原稿から画像を読み取る画像読取機構、及び被記録媒体に対して画像を形成する画像形成機構のうち、少なくとも一方である画像処理機構を備える画像処理装置を制御する制御部を、画像を表示し、指示体による表示画面へのタッチ入力を検出する表示手段と、前記画像処理機構による画像処理に関する複数の設定が予め組み合わされた設定の組であるプリセット設定組を複数記憶するプリセット設定組記憶手段と、前記複数のプリセット設定組それぞれに対応する複数のアイコンのうち、一つのアイコンは選択状態にあることを示す態様である選択状態態様で前記表示手段に表示させ、残りのアイコンのうちの少なくとも１つを非選択状態にあることを示す態様であって前記選択状態にあることを示す態様とは異なる態様である非選択状態態様で前記表示手段に表示させ、かつ、前記一つのアイコンを一の位置に表示し、前記残りのアイコンを前記一の位置の近傍領域に表示させるプリセット設定組選択画面表示制御手段と、前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行する画像処理機構制御手段と、して機能させ、前記プリセット設定組選択画面表示制御手段は、前記アイコンが前記表示手段に表示されている状態において、前記残りのアイコンのうちから選択される１つのアイコンである特定アイコンに対応する表示画面内の位置が前記指示体によってタッチされたことに対応する信号が前記表示手段から出力されると、前記近傍領域に位置していた前記特定アイコンを前記一の位置に移動させるとともに、前記一の位置に位置していた前記１つのアイコンを前記特定アイコンの移動方向と同一方向に移動させることによって前記近傍領域に位置させ、前記一の位置に移動された前記特定アイコンを新たな一つのアイコンとして前記選択状態態様で表示させ、前記新たな一つのアイコンとは異なる残りのアイコンを前記非選択状態態様で表示させることを特徴とする。本実施形態に記載の画像処理装置を実現するためのプログラムは、原稿から画像を読み取る画像読取機構、及び被記録媒体に対して画像を形成する画像形成機構のうち、少なくとも一方である画像処理機構を備える画像処理装置を制御する制御部を、画像を表示し、指示体による表示画面へのタッチ入力を検出する表示手段と、前記画像処理機構による画像処理に関する複数の設定が予め組み合わされた設定の組であるプリセット設定組を複数記憶するプリセット設定組記憶手段と、前記複数のプリセット設定組それぞれに対応する複数のアイコンのうち、一つのアイコンは選択状態にあることを示す態様である選択状態態様で前記表示手段に表示させ、残りのアイコンのうちの少なくとも１つを非選択状態にあることを示す態様であって前記選択状態にあることを示す態様とは異なる態様である非選択状態態様で前記表示手段に表示させ、かつ、前記一つのアイコンを一の位置に表示し、前記残りのアイコンを前記一の位置の近傍領域に表示させるプリセット設定組選択画面表示制御手段と、前記プリセット設定組選択画面表示制御手段によって前記アイコンが前記表示手段に表示されている状態において、スタートボタンに対する利用者操作が受け付けられた場合に、前記選択状態態様で表示されているアイコンに対応するプリセット設定組の設定値に従って前記画像処理機構を制御することにより、前記画像処理機構による画像処理を実行する画像処理機構制御手段と、して機能させ、前記プリセット設定組選択画面表示制御手段は、前記アイコンが前記表示手段に表示されている状態において、前記アイコンに対応する領域上を前記指示体によるタッチ位置が一の方向へ移動することに対応する信号が前記表示手段から出力されると、前記複数のアイコンを前記タッチ位置の移動に応じて前記一の方向へ移動させるようにスクロール表示させ、前記タッチ位置が検出されなくなることを条件として、複数のアイコンのうち、前記一の位置に最も近い位置に表示されるアイコンを、新たな一つのアイコンとして前記一の位置に前記選択状態態様で表示させ、前記新たな一つのアイコンとは異なる残りのアイコンを前記非選択状態態様で表示させることを特徴としてもよい。なお、上記の画像処理装置を実現するためのコンピュータプログラム、及び、当該コンピュータプログラムを格納するコンピュータ読取可能記録媒体も、新規で有用である。
【図面の簡単な説明】
【００１７】
【図１】複合機の内部構成を示すブロック図。
【図２】操作パネル部を示す説明図。
【図３】設定変更処理を示すフローチャート。
【図４】設定変更処理を示すフローチャート。
【図５】設定変更処理を示すフローチャート。
【図６】設定変更処理を示すフローチャート。
【図７】設定変更処理を示すフローチャート。
【図８】設定変更処理を示すフローチャート。
【図９】液晶ディスプレイに表示される画面の例を示す説明図。
【図１０】液晶ディスプレイに表示される画面の例を示す説明図。
【図１１】液晶ディスプレイに表示される画面の例を示す説明図。
【図１２】液晶ディスプレイに表示される画面の例を示す説明図。
【図１３】設定組アイコンの例を示す説明図。
【図１４】表示対象設定組アイコンの決定方法の説明図。
【発明を実施するための形態】
【００１８】
次に、本発明の実施形態について、具体的な例を挙げて説明する。
［複合機の構成］
複合機１は、プリンタ機能、スキャナ機能、コピー機能、ファクシミリ機能、電話機能などの各種の機能を有する装置である。複合機１は、図１に示すように、制御部１１、画像読取部１２、画像形成部１３、ネットワーク通信部１４、電話通信部１５、及び操作パネル部１６などを備えている。
【００１９】
制御部１１は、周知のＣＰＵ４１、ＲＯＭ４２、ＲＡＭ４３、及びＮＶＲＡＭ４４などを備えるマイクロコンピュータを中心に構成されている。この制御部１１において、ＣＰＵ４１は、ＲＯＭ４２に記憶されたプログラムに従って後述する処理を実行し、これにより複合機１の各部が制御されている。
【００２０】
ＲＯＭ４２は、複合機１の基本的な動作を制御するための基本機能プログラムを記憶している。ＲＯＭ４２は、液晶ディスプレイ部１６Ａに表示される、各種のアイコンの画像を記憶している。ＲＯＭ４２は、各種のアイコンの画像に対応する表示文字列を記憶している。表示文字列は、アイコンの近傍に表示される文字列である。
【００２１】
ＮＶＲＡＭ４４は、複数のプリセット設定組を記憶する。プリセット設定組は、複合機１による画像処理に関する複数の設定が予め組み合わされた組である。図１３に、プリセット設定組の各々に対応する設定組アイコンＢ４１〜Ｂ４７の一例を示す。また、設定組アイコンＢ４１〜Ｂ４７の各々に対応する、表示文字列Ｃ１〜Ｃ７の一例を示す。
【００２２】
設定組アイコンＢ４１は、Ｂｏｏｋコピーに関する設定組に対応するアイコンである。設定組アイコンＢ４２は、縮小コピーに関する設定組に対応するアイコンである。設定組アイコンＢ４３は、拡大コピーに関する設定組に対応するアイコンである。設定組アイコンＢ４４は、標準コピーに関する設定組に対応するアイコンである。設定組アイコンＢ４５は、両面コピーに関する設定組に対応するアイコンである。設定組アイコンＢ４６は、Ａ３コピーに関する設定組に対応するアイコンである。設定組アイコンＢ４７は、写真コピーに関する設定組に対応するアイコンである。複合機１は、設定組アイコンＢ４１〜Ｂ４７のうちの何れかが選択されると、選択された設定組アイコンに対応するプリセット設定組の設定値をＲＡＭ４３に読み出し、読み出した設定値に従って画像処理を制御する。
【００２３】
設定組アイコンＢ４１〜Ｂ４７は、図１３に示すように、連続した一列に並ぶ関係を有している。設定組アイコンＢ４１〜Ｂ４７は、連続するアイコン順番を有している。
設定組アイコンＢ４１が、アイコン順番の１番目のアイコンである。設定組アイコンＢ４７が、アイコン順番の７番目のアイコンである。また、設定組アイコンＢ４１〜Ｂ４７の各々には、これらのアイコンを選択状態とすることができない複合機１の装置状態が割り当てられている。例えば、「Ａ３コピー」の設定組をＲＡＭ４３に読み出すための設定組アイコンＢ４６は、複合機１にＡ３サイズの印刷用紙がセットされていない場合には、選択状態とすることが不可とされる。また、「写真コピー」の設定組をＲＡＭ４３に読み出すための設定組アイコンＢ４７は、複合機１にセットされている各色のインクカートリッジの何れか１つがインク切れの場合には、選択状態とすることが不可とされる。上記のような、設定組アイコンと複合機１の装置状態との対応は、ＲＯＭ４２に記憶されている。
【００２４】
ＮＶＲＡＭ４４には、各種のパラメータが記憶されている。記憶されるパラメータの例としては、第１移動速度、第２移動速度などが挙げられる。第１移動速度は、タッチパネル部１６Ｃにフリック操作が入力されたかムーブ操作が入力されたかを判断する際に用いられるパラメータである。第２移動速度は、スクロール距離を決定する際に用いられるパラメータである。これらのパラメータは、予めユーザによって記憶されてもよい。
【００２５】
ＲＡＭ４３は、揮発性のメモリであり、基本機能プログラムに従って処理が実行される過程で生成される各種データを記憶するための記憶領域である。ＲＡＭ４３に記憶されるデータの例としては、選択状態の設定組アイコンが挙げられる。選択状態の設定組アイコンは、複数の設定組アイコンのうち、選択状態とされている設定組アイコンである。
【００２６】
画像読取部１２は、イメージセンサ、自動原稿送り装置（Automatic Document Feeder
；ＡＤＦ）などによって構成され、ＡＤＦによって搬送される原稿又はフラットベッドのプラテンガラス上に置かれた原稿からイメージセンサで画像を読み取り、その画像を表す画像データを生成することができる。
【００２７】
画像形成部１３は、インクジェット方式あるいは電子写真方式などを採用した画像形成機構によって構成され、シート状の被記録媒体（例えば記録用紙）に対して画像を記録することができる。画像形成部１３は、用紙サイズ検出センサ１３Ａ、インク残量センサ１３Ｂを備えている。用紙サイズ検出センサ１３Ａは、複合機１にセットされている被記録媒体のサイズ（例：Ａ４サイズなど）を検出する。インク残量センサ１３Ｂは、複合機１にセットされている複数のインクカートリッジの各々について、インク残量を検出する。
【００２８】
ネットワーク通信部１４は、ネットワークインターフェースカード（Network Interface Card；ＮＩＣ）等によって構成される。電話通信部１５は、モデム等によって構成され、電話回線（図示略）を介して通信を行う際に利用される。
【００２９】
図２に示すように、操作パネル部１６は、液晶ディスプレイ部１６Ａ、内照式表示部１６Ｂ、及びタッチパネル部１６Ｃを備える。液晶ディスプレイ部１６Ａは、任意の画像をフルカラーで表示可能なＬＣＤモジュールを備える。液晶ディスプレイ部１６Ａには、各種アイコンや利用者操作用ボタンなどの画像、及び各種情報を示すテキストなどが、操作状況に応じて動的に表示される。
【００３０】
内照式表示部１６Ｂは、テンキーやその他の利用者操作用ボタンを示す画像が表示される部分である。この内照式表示部１６Ｂの前面パネル上には、各画像が表示されることとなる位置に対応付けて光透過部が設けられ、各光透過部の背後に設けられた発光素子を点灯させると、透過光によって各画像が所定の色で発光表示される。なお、液晶ディスプレイ部１６Ａの表示面と内照式表示部１６Ｂの表示面は、同一面上に位置するように配設されている。
【００３１】
タッチパネル部１６Ｃは、周知の方式（例えば静電容量方式など）で指先や操作子によるタッチ操作を検出可能な透明なフィルム状の入力デバイスである。このタッチパネル部１６Ｃは、液晶ディスプレイ部１６Ａ及び内照式表示部１６Ｂの表示面に重ねて配置されている。本実施形態においては、タッチパネル部１６Ｃによってタッチ操作が検出された際、タッチ操作されたタッチ位置に応じた出力信号が、タッチパネル部１６Ｃから制御部１１に出力される。制御部１１は、出力信号に基づいて、そのタッチ操作が、ドラッグ操作やフリック操作などのスライド操作なのか、あるいはシングルタップ操作やダブルタップ操作などのタップ操作なのか、ピンチ操作なのか、を判断する。制御部１１は、また、液晶ディスプレイ部１６Ａの表示面と重なる範囲、及び内照式表示部１６Ｂによって表示される画像と重なる位置に対するタッチ操作であるか否かも判断する。制御部１１は、判断したタッチ操作の種類と位置とに対応する処理を実行する。
【００３２】
［画面表示例］
図９〜図１２に、液晶ディスプレイ部１６Ａに表示される画像の表示例を示す。図９は、基本画面Ｐ１の表示例である。基本画面Ｐ１は、複合機１が待機状態である場合に、液晶ディスプレイ部１６Ａに表示される画面である。基本画面Ｐ１において、左側にある領域２１Ｂには、「ファクス」アイコンＢ１１、「コピー」アイコンＢ１２、「スキャン」アイコンＢ１３、が表示される。これらのアイコンは、複合機１の各機能に対応するアイコンである。
【００３３】
利用者が「ファクス」アイコンＢ１１、「コピー」アイコンＢ１２、「スキャン」アイコンＢ１３の何れかに対するタッチ操作を行うと、制御部１１は、これらの機能ごとのトップページとなる画面を、液晶ディスプレイ部１６Ａに表示する。
【００３４】
図１０に、プリセット設定組選択画面Ｐ２の表示例を示す。プリセット設定組選択画面Ｐ２は、基本画面Ｐ１の「コピー」アイコンＢ１２がタッチされた場合に、液晶ディスプレイ部１６Ａに表示される画面である。プリセット設定組選択画面Ｐ２は、液晶ディスプレイ部１６Ａの表示領域を、三つの領域２５Ａ、２５Ｂ、２５Ｃに分割した画面である。上段の領域２５Ａには、各種情報が表示される。中段の領域２５Ｂは、複数の設定組アイコンや、左スクロールボタンＢ７１および右スクロールボタンＢ７２を表示する領域である。下段の領域２５Ｃには、コピー実行ボタンＢ６１、詳細設定ボタンＢ６３が表示される。
【００３５】
領域２５Ｂは、中央領域Ｌ１、右側近傍領域Ｌ３、左側近傍領域Ｌ２、を備える。中央領域Ｌ１の左側に左側近傍領域Ｌ２が位置しており、中央領域Ｌ１の右側に右側近傍領域Ｌ３が位置している。中央領域Ｌ１は、選択状態の設定組アイコンを表示する領域である
。右側近傍領域Ｌ３および左側近傍領域Ｌ２は、非選択状態の設定組アイコンを表示する領域である。図１０の表示例では、中央領域Ｌ１に設定組アイコンＢ４４が表示されている。設定組アイコンＢ４４の上側には、ＲＯＭ４２に記憶されている表示文字列Ｃ４＝「標準コピー」が表示される。左側近傍領域Ｌ２には、設定組アイコンＢ４３が表示されている。右側近傍領域Ｌ３には、設定組アイコンＢ４５が表示されている。
【００３６】
右側近傍領域Ｌ３および左側近傍領域Ｌ２に表示される設定組アイコンの背景色は、通常色（黒色）とされる。一方、中央領域Ｌ１に表示される設定組アイコンの背景色は、通常色（黒色）と異なる特定色（青色）とされる。また、中央領域Ｌ１に表示される設定組アイコンＢ４４の上部には、表示文字列Ｃ４が表示される。これにより、中央領域Ｌ１に表示される設定組アイコンＢ４４には、選択状態にあることを示すフォーカスが付与される。
【００３７】
図１１に、プリセット設定組選択画面Ｐ２ａを示す。プリセット設定組選択画面Ｐ２ａは、図１０のプリセット設定組選択画面Ｐ２の領域２５Ｂをスクロールした状態の画面の表示例である。図１１のプリセット設定組選択画面Ｐ２ａの表示例では、中央領域Ｌ１に設定組アイコンＢ４５が表示される。設定組アイコンＢ４５の上側には、表示文字列Ｃ５＝「両面コピー（片面）」が表示される。左側近傍領域Ｌ２には、設定組アイコンＢ４４が表示される。右側近傍領域Ｌ３には、設定組アイコンＢ４６が表示される。
【００３８】
図１２に、詳細設定画面Ｐ３の表示例を示す。詳細設定画面Ｐ３は、プリセット設定組選択画面Ｐ２（図１０）やＰ２ａ（図１１）の詳細設定ボタンＢ６３がタッチされた場合に、液晶ディスプレイ部１６Ａに表示される画面である。詳細設定画面Ｐ３は、三つの領域２７Ａ、２７Ｂ、２７Ｃを備える。右の領域２７Ｃには、選択状態の設定組アイコンや、ＯＫボタンＢ６５が表示される。中央の領域２７Ｂには、スクロールバーが表示される。左の領域２７Ａには、領域２７Ｃに表示中の選択状態の設定組アイコンに対応する、複数の設定項目およびその設定値が表示される。領域２７Ａは、利用者操作に応じて上下方向（図１２、矢印Ａ３、Ａ４方向）にスクロールする領域とされている。そして、このスクロールに伴って表示領域から外れた位置にある設定項目すべてを確認可能とされている。
【００３９】
図１２の表示例では、領域２７Ｃには、選択状態の設定組アイコンＢ４４（標準コピー）が表示されている。また、領域２７Ａには、選択状態の設定組アイコンＢ４４に対応する処理（標準コピー）に関する、複数の設定項目（記録紙タイプなど）が、ＮＶＲＡＭ４４から読み出されて表示されている。
【００４０】
［設定変更処理］
次に、以上のような画面遷移を伴う設定変更処理を実現するため、複合機１において制御部１１によって実行される処理の内容を、図３〜図８に示すフローチャートに基づいて説明する。
【００４１】
Ｓ４１０において制御部１１は、基本画面Ｐ１を液晶ディスプレイ部１６Ａに表示する。そして、「ファクス」アイコンＢ１１、「コピー」アイコンＢ１２、「スキャン」アイコンＢ１３の何れかがタッチされたか否かを判断する。図９の基本画面Ｐ１の表示例を用いて、具体的な判断方法の例を説明する。「ファクス」アイコンＢ１１〜「スキャン」アイコンＢ１３の各々の表示領域を示す座標が、ＲＯＭ４２に予め記憶されている。制御部１１は、タッチパネル部１６Ｃ上のタッチ位置を、基本機能プログラムから取得する。取得されたタッチ位置が、「ファクス」アイコンＢ１１〜「スキャン」アイコンＢ１３の何れかの表示領域を示す座標内に位置する場合には、タッチ位置が位置しているアイコンにタッチ入力されていると判断することができる。アイコンの何れにもタッチ入力されてい
ない場合（Ｓ４１０：ＮＯ）にはＳ４１０へ戻り、アイコンの何れかにタッチ入力された場合（Ｓ４１０：ＹＥＳ）にはＳ４１１へ進む。
【００４２】
以下では、図Ａに示した基本画面Ｐ１において、「コピー」アイコンＢ１２がタッチされた場合に実行される処理を例に挙げて説明する。なお、「ファクス」アイコンＢ１１や「スキャン」アイコンＢ１３がタッチされた場合の処理内容も、「コピー」アイコンＢ１２がタッチされた場合の処理内容と同様であるため、ここでは説明を省略する。
【００４３】
Ｓ４１１において、制御部１１は、デフォルトの設定組アイコンを示す情報（例：アイコンの識別ＩＤ）を、選択状態の設定組アイコンを示す情報としてＲＡＭ４３に記憶させる。本実施形態の説明例では、設定組アイコンＢ４４（標準コピー）が、デフォルトの設定組アイコンに設定されている場合を説明する。デフォルトの設定組アイコンは、ユーザによって定められてもよいし、複合機１の製造者によって定められていてもよい。
【００４４】
Ｓ４１２において、制御部１１は、設定組アイコンＢ４１〜Ｂ４７の画像（図１３）を、ＲＯＭ４２から読み出す。Ｓ４１４において、制御部１１は、設定組アイコンに対応する表示文字列Ｂ５１〜Ｂ５７を、ＲＯＭ４２からＲＡＭ４３に読み出す。
【００４５】
Ｓ４１６において、制御部１１は、選択状態の設定組アイコンを、中央領域Ｌ１に表示する。また、選択状態の設定組アイコンの１つ前のアイコン順番の設定組アイコンを、中央領域Ｌ１に対して左側に隣接する左側近傍領域Ｌ２に表示する。また、選択状態の設定組アイコンの１つ後のアイコン順番の設定組アイコンを、中央領域Ｌ１に対して右側に隣接する右側近傍領域Ｌ３に表示する。これにより、中央領域Ｌ１に表示されている選択状態の設定組アイコンと、左側近傍領域Ｌ２および右側近傍領域Ｌ３に表示されている設定組アイコンとは、一列に並んだ状態で表示される。
【００４６】
図１０の表示例では、中央領域Ｌ１に表示されている選択状態の設定組アイコン（設定組アイコンＢ４４）と、左側近傍領域Ｌ２に表示されている設定組アイコンＢ４３と、右側近傍領域Ｌ３に表示されている設定組アイコンＢ４５とは、一列に並んだ状態で表示される。
【００４７】
Ｓ４３０において制御部１１は、中央領域Ｌ１に表示された選択状態の設定組アイコンの背景色を、特定色（青色）に変更する。Ｓ４３２において制御部１１は、選択状態の設定組アイコンの上部に、選択状態の設定組アイコンに対応する表示文字列を表示する。背景色が特定色であることで、中央領域Ｌ１に表示された設定組アイコンは、選択状態であることが分かる。また、設定組アイコンの上部に表示文字列が表示されることによっても、中央領域Ｌ１に表示された設定組アイコンは、選択状態であることが分かる。また、左側近傍領域Ｌ２および右側近傍領域Ｌ３に表示された設定組アイコンは、背景色が特定色ではないため、非選択状態態様であることが分かる。非選択状態態様は、非選択状態にあることを示す態様であり、選択状態態様とは異なる態様である。
【００４８】
図１０の表示例では、中央領域Ｌ１に表示されている選択状態の設定組アイコン（設定組アイコンＢ４４）の背景色が特定色（青色）に変更される。また、設定組アイコンＢ４４の上部に、表示文字列Ｃ４＝「標準コピー」が表示される。
【００４９】
Ｓ４４８（図４）において、制御部１１は、左側近傍領域Ｌ２または右側近傍領域Ｌ３に表示されている設定組アイコンがタッチされたか否かを判断する。タッチされた場合（Ｓ４４８：ＹＥＳ）には、Ｓ４５０へ進む。
【００５０】
Ｓ４５０において制御部１１は、中央領域Ｌ１に表示された選択状態の設定組アイコン
の、選択状態態様での表示を終了する。具体的には、中央領域Ｌ１に表示された選択状態の設定組アイコンの背景色を通常色（黒色）へ戻す。また、表示文字列を消去する。これにより、中央領域Ｌ１に表示される選択状態の設定組アイコンの、選択状態態様での表示が終了する。
【００５１】
Ｓ４５４において、制御部１１は、左側近傍領域Ｌ２（または右側近傍領域Ｌ３）に位置していた、タッチされた設定組アイコンを中央領域Ｌ１に移動させる。同時に、中央領域Ｌ１に表示されていた選択状態の設定組アイコンを、タッチされた設定組アイコンの移動方向と同一方向に移動させることによって、右側近傍領域Ｌ３（または左側近傍領域Ｌ２）に位置させる。また同時に、新たな別の設定組アイコンを、液晶ディスプレイ部１６Ａ外から左側近傍領域Ｌ２（または右側近傍領域Ｌ３）にフレームインするように移動させる。これにより、タッチされた設定組アイコンが中央領域Ｌ１の位置に移動するように、設定組アイコンの列をスクロール表示する処理が行われる。
【００５２】
Ｓ４５６において制御部１１は、Ｓ４４８でタッチされた設定組アイコンを示す情報を、新たな選択状態の設定組アイコンを示す情報としてＲＡＭ４３に記憶させるとともに、Ｓ４４８でタッチされた設定組アイコンを選択状態態様で表示する。具体的には、背景色を特定色（青色）に変更するとともに、表示文字列を表示する。また、左側近傍領域Ｌ２または右側近傍領域Ｌ３に表示された設定組アイコンを、非選択状態態様で表示する。具体的には、背景色を通常色（黒色）に維持するとともに、表示文字列を表示しない。
【００５３】
Ｓ４４８〜Ｓ４５６の処理例を、図１０および図１１の画面表示例を用いて説明する。図１０において、右側近傍領域Ｌ３に表示されている設定組アイコンＢ４５がタッチされた場合の処理例を説明する。制御部１１は、中央領域Ｌ１に表示された選択状態の設定組アイコンＢ４４の選択状態態様での表示を終了する（Ｓ４５０）。制御部１１は、右側近傍領域Ｌ３に位置していた、タッチされた設定組アイコンＢ４５を、中央領域Ｌ１に移動させる。同時に、中央領域Ｌ１に表示されていた選択状態の設定組アイコンＢ４４を、設定組アイコンＢ４５の移動方向（左方向）と同一方向に移動させることによって、左側近傍領域Ｌ２に位置させる。また右側近傍領域Ｌ３に、新たに設定組アイコンＢ４６を表示する。これにより、タッチされた設定組アイコンＢ４５が中央領域Ｌ１の位置に移動するように、設定組アイコンの列をスクロール表示する処理が行われる（Ｓ４５４）。制御部１１は、選択された設定組アイコンＢ４５を示す情報を、選択状態の設定組アイコンを示す情報としてＲＡＭ４３に記憶させる。また設定組アイコンＢ４５を、選択状態態様で表示する（Ｓ４５６）。よって、図１０の表示画面から図１１の表示画面へ遷移する。
【００５４】
一方、Ｓ４４８において、左側近傍領域Ｌ２または右側近傍領域Ｌ３に表示されている設定組アイコンがタッチされていない場合（Ｓ４４８：ＮＯ）には、Ｓ４５８（図５）へ進む。Ｓ４５８において、制御部１１は、領域２５Ｂに左右方向のフリック操作が入力されたか否かを判断する。フリック操作の入力が行われたか否かの判断方法の一例を説明する。制御部１１は、タッチパネル部１６Ｃを用いて、定期的（例：数十ミリセカンドごと）にタッチ位置を検出する。そして、領域２５Ｂ内でのタッチ位置の移動（ドラッグ）が検出され、その後にタッチ位置が検出されなくなった場合には、タッチ位置の移動速度を算出する。タッチ位置の移動速度は、タッチ位置が検出されなくなった時点以前の直近に検出された２つのタッチ位置の２点間の距離と、測定間隔時間に基づいて算出される。算出されたタッチ位置の移動速度が、予め定められた第１移動速度よりも大きい場合には、フリック操作が入力されたと判断し（Ｓ４５８：ＹＥＳ）、Ｓ４６０へ進む。
【００５５】
Ｓ４６０において、制御部１１は、中央領域Ｌ１に表示される選択状態の設定組アイコンの、選択状態態様での表示を終了する。なお、具体的な処理内容は、Ｓ４５０の処理内容と同様であるため、説明を省略する。
【００５６】
Ｓ４６６において、タッチ位置の移動方向が、領域２５Ｂ内の右方向である場合には、右方向のフリック操作が入力されたと判断され（Ｓ４６６：右方向）、Ｓ４６８へ進む。Ｓ４６８において制御部１１は、領域２５Ｂに表示されている設定組アイコンを、右方向にスクロール表示する。図１０の表示例では、表示されている３つの設定組アイコンＢ４３〜Ｂ４５が右側に移動して液晶ディスプレイ部１６Ａからフレームアウトするとともに、液晶ディスプレイ部１６Ａの左側から設定組アイコンＢ４２、Ｂ４１などがフレームインするように、スクロール表示が行われる。また、設定組アイコンの移動が開始される際の初期移動速度は、タッチ位置の移動速度に応じた速度とされる。
【００５７】
また、Ｓ４６６において、タッチ位置の移動方向が、領域２５Ｂ内の左方向である場合には、左方向のフリック操作が入力されたと判断され（Ｓ４６６：左方向）、Ｓ４７０へ進む。Ｓ４７０において制御部１１は、領域２５Ｂに表示されている設定組アイコンを、左方向にスクロール表示する。また、設定組アイコンの移動が開始される際の初期移動速度は、タッチ位置の移動速度に応じた速度とされる。
【００５８】
Ｓ４７２において、制御部１１は、中央領域Ｌ１に新たに表示する設定組アイコンである表示対象設定組アイコンを決定する。表示対象設定組アイコンの決定方法の一例を説明する。制御部１１は、スクロール距離を決定する。具体的には、速度減衰関数を用いて、Ｓ４６６で算出された初期移動速度を、時間の経過とともに減速させていく。そして、アイコンの移動速度が予め定められた第２移動速度を下回った時点におけるアイコンの移動距離を、スクロール距離とする。制御部１１は、設定組アイコンＢ４１〜Ｂ４７の列（図１３）を、スクロール距離の分だけスクロール移動方向へ移動させる。移動後の設定組アイコンＢ４１〜Ｂ４７のうち、設定組アイコンの中心線が、中央領域Ｌ１の中心線をスクロール移動方向側に越えていない設定組アイコンを抽出する。そして、抽出した複数の設定組アイコンのうちから、中央領域Ｌ１に最も近い位置に表示される設定組アイコンを、表示対象設定組アイコンとして決定する。
【００５９】
表示対象設定組アイコンの決定方法の具体例を、図１４の表示例を用いて説明する。図１４（ａ）は、スクロール前の領域２５Ｂを示している。図１４（ｂ）は、左方向にスクロール後の領域２５Ｂを示している。図１４（ｂ）では、設定組アイコンの各々が、図１４（ａ）に対してスクロール距離Ｄ１だけ左方向に移動している。図１４（ｂ）において、設定組アイコンＢ４５の中心線ＢＭ１が、中央領域Ｌ１の中心線ＬＭ１をスクロール移動方向（左方向）側に越えているため、設定組アイコンＢ４５は、表示対象設定組アイコンとして選択されない。一方、設定組アイコンＢ４６の中心線ＢＭ２は、中央領域Ｌ１の中心線ＬＭ１をスクロール移動方向（左方向）側に越えていない。また、設定組アイコンＢ４６は、中央領域Ｌ１に最も近い位置に表示されているアイコンである。よって、設定組アイコンＢ４６が、表示対象設定組アイコンとして選択される。
【００６０】
Ｓ４７４において、制御部１１は、Ｓ４７２で表示対象設定組アイコンとして決定された設定組アイコンが、表示可能な設定組アイコンであるか否かを判断する。具体的には、制御部１１は、各種のセンサ（用紙サイズ検出センサ１３Ａ、インク残量センサ１３Ｂなど）によって複合機１の装置状態を検出する。そして、表示対象設定組アイコンとして選択された設定組アイコンが、検出された装置状態の下において、選択状態とすることが可能であるか否かが判断される。
【００６１】
選択状態とすることが可能な設定組アイコンではない場合（Ｓ４７４：ＮＯ）には、Ｓ４７６へ進み、表示対象設定組アイコンとして現在選択されている設定組アイコンに対して、スクロール順番の次の順番を有する設定組アイコンを、表示対象設定組アイコンとして新たに選択する。そしてＳ４７４へ戻る。
【００６２】
一方、選択状態とすることが可能なアイコンである場合（Ｓ４７４：ＹＥＳ）にはＳ４７８へ進み、表示対象設定組アイコンを、選択状態の設定組アイコンとして中央領域Ｌ１に表示する。Ｓ４８０において制御部１１は、中央領域Ｌ１に表示された、選択状態の設定組アイコンの表示態様を、選択状態態様に変更する。
【００６３】
表示対象設定組アイコンが、選択状態とすることが可能な設定組アイコンであるか否かの判断方法の具体例を、図１４（ｂ）、（ｃ）の表示例を用いて説明する。例として、複合機１にＡ３サイズの印刷用紙がセットされていない場合を説明する。また例として、スクロール後の状態が図１４（ｃ）に示す状態であり、設定組アイコンＢ４６（Ａ３コピー）が、表示対象設定組アイコンの候補とされる場合を説明する。制御部１１は、Ｓ４７４において、用紙サイズ検出センサ１３Ａを用いて、複合機１にＡ３サイズの印刷用紙がセットされていない装置状態であることを検出する。制御部１１は、Ａ３サイズの印刷用紙がセットされていない装置状態であるため、表示対象設定組アイコンの候補とされた設定組アイコンＢ４６（Ａ３コピー）は、選択状態とすることが不可なアイコンであると判断する（Ｓ４７４：ＮＯ）。Ｓ４７６において、制御部１１は、設定組アイコンＢ４６に対してスクロール順番の次の順番を有する設定組アイコンＢ４７（写真コピー）を、表示対象設定組アイコンの候補として新たに選択する。設定組アイコンＢ４７は、Ａ３サイズの印刷用紙がセットされていない装置状態においても選択状態とすることが可能なアイコンであるため（Ｓ４７４：ＹＥＳ）、設定組アイコンＢ４７が表示対象設定組アイコンとして決定され、選択状態態様で中央領域Ｌ１に表示される（Ｓ４７８、Ｓ４８０）。これにより、領域２５Ｂが図１４（ｂ）の状態から図１４（ｃ）の状態に遷移する。
【００６４】
一方、Ｓ４５８において、領域２５Ｂに左右方向のフリック操作が入力されていない場合（Ｓ４５８：ＮＯ）には、Ｓ４８８（図６）へ進む。Ｓ４８８において、制御部１１は、左スクロールボタンＢ７１または右スクロールボタンＢ７２がタッチされたか否かを判断する。タッチされた場合（Ｓ４８８：ＹＥＳ）には、Ｓ４９０へ進む。
【００６５】
Ｓ４９０において制御部１１は、中央領域Ｌ１に表示された選択状態の設定組アイコンの、選択状態態様での表示を終了する。Ｓ４９２において、制御部１１は、何れのスクロールボタンがタッチされたかを判断する。右スクロールボタンＢ７２がタッチされた場合には（Ｓ４９２：右スクロール）、Ｓ４９４へ進む。Ｓ４９４において制御部１１は、領域２５Ｂに表示されている設定組アイコンを、１つのアイコン分だけ右方向にスクロール表示する。また、Ｓ４９２において、左スクロールボタンＢ７１がタッチされた場合には（Ｓ４９２：左スクロール）、Ｓ４９６へ進む。Ｓ４９６において制御部１１は、領域２５Ｂに表示されている設定組アイコンを、１つのアイコン分だけ左方向にスクロール表示する。Ｓ５００において制御部１１は、中央領域Ｌ１に新たに表示された設定組アイコンを示す情報を、新たな選択状態の設定組アイコンを示す情報としてＲＡＭ４３に記憶させるとともに、選択状態態様で表示する。そしてＳ４４８（図４）へ戻る。
【００６６】
一方、Ｓ４８８において、左スクロールボタンＢ７１または右スクロールボタンＢ７２がタッチされていない場合（Ｓ４８８：ＮＯ）には、Ｓ５０８（図７）へ進む。Ｓ５０８において、制御部１１は、領域２５Ｂに左右方向のムーブ操作が入力されたか否かを判断する。ムーブ操作の入力が行われたか否かの判断方法の一例を説明する。制御部１１は、Ｓ４５８で前述した方法を用いて、タッチ位置の移動速度を算出する。そして、算出されたタッチ位置の移動速度が、予め定められた第１移動速度よりも小さい場合には、ムーブ操作が入力されたと判断し（Ｓ５０８：ＹＥＳ）、Ｓ５０９へ進む。
【００６７】
Ｓ５０９において、制御部１１は、中央領域Ｌ１に表示される選択状態の設定組アイコンの、選択状態態様での表示を終了する。Ｓ５１０において制御部１１は、タッチ位置の
移動距離に応じて、領域２５Ｂに表示されている設定組アイコンを、左右方向にスクロール表示する。Ｓ５１１において制御部１１は、タッチ位置が検出されなくなったか否かを判断する。タッチ位置が検出されている場合（Ｓ５１１：ＮＯ）にはＳ５１１へ戻り、検出されなくなった場合（Ｓ５１１：ＹＥＳ）にはＳ５１２へ進む。
【００６８】
Ｓ５１２において制御部１１は、中央領域Ｌ１に新たに表示する設定組アイコンである、表示対象設定組アイコンを決定する。表示対象設定組アイコンの決定方法の一例を説明する。制御部１１は、Ｓ５１０のスクロール処理によって移動された設定組アイコンＢ４１〜Ｂ４７のうち、設定組アイコンの中心線が、中央領域Ｌ１の中心線をスクロール移動方向側に越えていない設定組アイコンを抽出する。そして、抽出した複数の設定組アイコンのうちから、中央領域Ｌ１に最も近い位置に表示される設定組アイコンを、表示対象設定組アイコンとして決定する。
【００６９】
また、Ｓ５１４〜Ｓ５２０で行われる各処理は、前述したＳ４７４〜Ｓ４８０で行われる各処理と同様であるため、ここでは説明を省略する。
【００７０】
一方、Ｓ５０８において、領域２５Ｂに左右方向のムーブ操作が入力されていない場合（Ｓ５０８：ＮＯ）には、Ｓ５２８へ進む。Ｓ５２８において、制御部１１は、コピー実行ボタンＢ６１がタッチされたか否かを判断する。コピー実行ボタンＢ６１がタッチされた場合（Ｓ５２８：ＹＥＳ）には、Ｓ５３０へ進む。Ｓ５３０において、制御部１１は、中央領域Ｌ１に表示されている選択状態の設定組アイコンに対応する設定値を、ＮＶＲＡＭ４４から読み出し、ＲＡＭ４３に展開する。Ｓ５３２において、制御部１１は、ＲＡＭ４３に展開した設定値に従って画像形成部１３を制御する。これにより、コピー処理が実行される。
【００７１】
一方、Ｓ５２８において、コピー実行ボタンＢ６１がタッチされていない場合（Ｓ５２８：ＮＯ）には、Ｓ５３８（図８）へ進む。Ｓ５３８において、制御部１１は、詳細設定ボタンＢ６３がタッチされたか否かを判断する。詳細設定ボタンＢ６３タッチされた場合（Ｓ５３８：ＹＥＳ）には、Ｓ５４０へ進む。
【００７２】
Ｓ５４０において、制御部１１は、中央領域Ｌ１に表示されている選択状態の設定組アイコンに対応する複数の設定項目およびその設定値を、ＮＶＲＡＭ４４から読み出してＲＡＭ４３に展開する。Ｓ５４４において制御部１１は、中央領域Ｌ１に表示されている選択状態の設定組アイコンの、選択状態態様での表示を終了する。Ｓ５４６において、制御部１１は、左側近傍領域Ｌ２および右側近傍領域Ｌ３に表示されていた設定組アイコンを消去する。Ｓ５４８において、制御部１１は、中央領域Ｌ１に表示されていた選択状態の設定組アイコンを、液晶ディスプレイ部１６Ａの右側に位置する退避位置Ｌ４に移動させる。退避位置Ｌ４は、液晶ディスプレイ部１６Ａの表示画面の外周部に近い位置である。
【００７３】
Ｓ５５０において、制御部１１は、Ｓ５４８で設定組アイコンを移動することによって生成された領域に、Ｓ５４０で読み出した複数の設定項目およびその設定値を一覧表示する。Ｓ５５２において、制御部１１は、設定項目の変更操作が行われたか否かを判断する。設定項目の変更操作の一例としては、表示されている複数の設定項目の何れかにタッチ入力やドラッグ入力をすることによって、設定値を変更する操作が挙げられる。設定項目の変更操作が行われていない場合（Ｓ５５２：ＮＯ）にはＳ４１２（図３）へ戻り、行われた場合（Ｓ５５２：ＹＥＳ）にはＳ５５４へ進む。Ｓ５５４において制御部１１は、ＯＫボタンＢ６５（図１２）がタッチされたか否かを判断する。ＯＫボタンＢ６５がタッチされていない場合（Ｓ５５４：ＮＯ）にはＳ５５２へ戻り、タッチされた場合（Ｓ５５４：ＹＥＳ）にはＳ５５６へ進む。Ｓ５５６において制御部１１は、Ｓ５５２で変更された設定値に従って画像形成部１３を制御する。これにより、コピー処理が実行される。
【００７４】
Ｓ５４０〜Ｓ５５６の処理例を、図１０および図１２の画面表示例を用いて説明する。図１０において、詳細設定ボタンＢ６３がタッチされた場合の処理例を説明する。制御部１１は、中央領域Ｌ１に表示されている選択状態の設定組アイコンＢ４４（標準コピー）に対応する複数の設定項目およびその設定値を、ＮＶＲＡＭ４４から読み出してＲＡＭ４３に展開する（Ｓ５４０）。制御部１１は、中央領域Ｌ１に表示されている選択状態の設定組アイコンＢ４４の選択状態態様での表示を終了する（Ｓ５４４）。制御部１１は、左側近傍領域Ｌ２および右側近傍領域Ｌ３に表示されていた、設定組アイコンＢ４３およびＢ４５を消去する（Ｓ５４６）。制御部１１は、中央領域Ｌ１に表示されていた選択状態の設定組アイコンＢ４４を、液晶ディスプレイ部１６Ａの右側に位置する退避位置Ｌ４（図１２）に移動させる（Ｓ５４８）。制御部１１は、設定組アイコンＢ４４を移動することによって生成された領域２７Ａに、標準コピーに関する複数の設定項目およびその設定値を一覧表示する（Ｓ５５０）。制御部１１は、領域２７Ａに表示されている設定項目の何れかに対して、変更操作が行われたか否かを判断する（Ｓ５５２）。ＯＫボタンＢ６５がタッチされることに応じて（Ｓ５５４：ＹＥＳ）、変更された設定値に従ってコピー処理が実行される（Ｓ５５６）。
【００７５】
［効果］
以上説明したように、上記複合機１によれば、選択状態の設定組アイコンを中央領域Ｌ１に選択状態態様で表示することにより（Ｓ４３０、Ｓ４３２、Ｓ４５６、Ｓ４８０、Ｓ５００、Ｓ５２０など）、その時点で選択されている設定組アイコンをユーザに認識させることが可能となる。また、中央領域Ｌ１に一つの設定組アイコンが表示されている状態で、残りの設定組アイコンのうちから設定組アイコンが選択されると、選択された設定組アイコンを中央領域Ｌ１に移動させるとともに（Ｓ４５４、Ｓ４６８、Ｓ４７０、Ｓ４９４、Ｓ４９６、Ｓ５１０など）、選択された設定組アイコンを示す情報（例：アイコンの識別ＩＤ）を、新たな選択状態の設定組アイコンを示す情報としてＲＡＭ４３に記憶させるとともに、選択された設定組アイコンを選択状態態様で表示させることができる（Ｓ４５６、Ｓ４８０、Ｓ５００、Ｓ５２０など）。これにより、選択状態の設定組アイコンおよび非選択状態の設定組アイコンのうちから何れかの設定組アイコンを選択する操作を受け付ける領域（領域２５Ｂ、図１０）を用いて、選択状態の設定組アイコンをユーザに認識させることができる。よって、設定組アイコンが選択状態である旨の情報を、他の領域に別途表示する場合などに比して、表示画面を有効に利用することが可能となる。
【００７６】
上記複合機１によれば、選択状態態様で表示される設定組アイコンの背景色が特定色（青色）に変更されたり（Ｓ４３０）、表示文字列が付加されて表示される（Ｓ４３２）。これにより、選択状態の設定組アイコンを、ユーザに認識させやすくすることができる。
【００７７】
上記複合機１によれば、領域２５Ｂに一列に並んで表示されている複数の設定組アイコンの各々を移動させることにより、何れか１つの設定組アイコンを中央領域Ｌ１に位置させることができる。これにより、中央領域Ｌ１に位置させたい設定組アイコンを、一列に表示されている複数の設定組アイコンの中から見つけ出せばよいため、一つの設定組アイコンを選択する操作を簡易化することが可能となる。
【００７８】
上記複合機１によれば、中央領域Ｌ１の両隣側（左側近傍領域Ｌ２および右側近傍領域Ｌ３）に、非選択状態の設定組アイコンを表示することができる。これにより、中央領域Ｌ１に位置させたい設定組アイコンを、左側近傍領域Ｌ２および右側近傍領域Ｌ３に表示されている設定組アイコンの中から見つけ出せばよいため、一つの設定組アイコンを選択する操作を簡易化することが可能となる。
【００７９】
上記複合機１によれば、設定組アイコンを移動させてスクロール表示処理を実行してい
る期間中においては、移動中の設定組アイコンの全てを非選択状態態様で表示させることができる（Ｓ４５０、Ｓ４６０、Ｓ４９０、Ｓ５０９）。これにより、設定組アイコンを移動させる画像処理を実行する際の、制御部１１の処理負担を軽減することが可能となる。
【００８０】
上記複合機１によれば、詳細設定ボタンＢ６３（図１０、図１１）がタッチされることに応じて、選択状態の設定組アイコンを、中央領域Ｌ１から退避位置Ｌ４へ移動させることができる（Ｓ５４８、図１２）。これにより、表示手段の表示画面の中央付近に、設定項目および設定値を一覧表示させるためのスペースを形成することが可能となる。
【００８１】
上記複合機１によれば、検出された複合機１の装置状態の下において、選択状態とすることが可能である設定組アイコンのみを、選択状態とすることができる（Ｓ４７４、Ｓ５１４）。これにより、使用することができない状態の機能に関連する設定組アイコンを選択してしまう事態を防止することができる。
【００８２】
上記複合機１によれば、複数の設定組アイコンが一の方向へ移動するようにスクロール表示された場合に、中央領域Ｌ１を一の方向へ越えて移動する設定組アイコンが中央領域Ｌ１に表示されることが防止できる（Ｓ４７２、Ｓ５１２）。これにより、中央領域Ｌ１を行き過ぎた設定組アイコンが一の方向と逆方向に移動して中央領域Ｌ１へ戻る、というようなスクロール表示が行われないため、より自然なスクロール表示を実行することが可能となる。
【００８３】
その他の実施形態以上、本発明の実施形態について説明したが、本発明は上記の具体的な一実施形態に限定されず、この他にも種々の形態で実施することができる。以下に変形例を説明する。
【００８４】
［変形例］
複合機１の装置状態を検出するセンサは、用紙サイズ検出センサ１３Ａやインク残量センサ１３Ｂに限られず、各種のセンサを用いることが可能である。例えば、紙詰まりやカバーオープンを検出するセンサを用いても良い。
【００８５】
例えば、上記実施形態では、コピー実行ボタンＢ６１、詳細設定ボタンＢ６３、ＯＫボタンＢ６５、左スクロールボタンＢ７１、右スクロールボタンＢ７２などが、液晶ディスプレイ部１６Ａに表示され、それらに対する入力操作をタッチパネル部１６Ｃで受け付けるように構成されていたが、いずれかのボタン又は全てのボタンが、タッチパネル部１６Ｃとは異なる入力手段（例えば、ボタンを備える入力装置）によって構成されていてもよい。
【００８６】
また、上記実施形態では、タッチパネル部１６Ｃについては、周知の方式（例えば静電容量方式など）でタッチ操作を検出可能であればよい旨を説明したが、静電容量方式以外の方式としては、例えば、電磁誘導方式、赤外線方式、表面弾性波方式、抵抗膜方式などを利用することができる。
【００８７】
また、上記実施形態では、液晶ディスプレイ部１６Ａ及び内照式表示部１６Ｂの双方で単一のタッチパネル部１６Ｃを共用する例を示したが、液晶ディスプレイ部１６Ａと内照式表示部１６Ｂとで、それぞれ別々のタッチパネル部が設けられていてもよい。その場合、それら別々のタッチパネル部は、同じ方式のものであってもよいが、それぞれ異なる方式のタッチパネル部であってもよい。例えば、一方は指先での操作に適した方式で、他方は操作子（例えば、操作用のペン）での操作に適した方式にするとか、一方は分解能が高い方式で、他方は分解能が低いものの安価な方式にする、といったことが可能である。
【００８８】
また、上記実施形態では、表示デバイスである液晶ディスプレイ部１６Ａと入力デバイスであるタッチパネル部１６Ｃを重ねた構造にすることで、表示機能及び入力機能の双方を備える操作パネル部１６を構成してあったが、単一のデバイスで表示機能及び入力機能の双方を備えるデバイスを利用すれば、そのような単一のデバイスで操作パネル部１６を構成することもできる。
【００８９】
また、上記実施形態では、複合機１が備える制御部１１及び操作パネル部１６により、上述の各種表示及び各種入力の受け付けを実現する例を示したが、複合機１とパーソナルコンピュータ（ＰＣ）やスマートフォンなどの情報処理装置とを接続した場合は、それらの情報処理装置が備える制御部、表示部、及び入力部を利用して、上述の各種表示及び各種入力の受け付けを実現することも可能である。
【００９０】
具体的には、図３から図８のフローチャートに示した各処理と同等な処理を、複合機１に接続された情報処理装置の制御部に実行させるプログラムを情報処理装置にインストールし、そのプログラムに従った処理を情報処理装置の制御部が実行する。これにより、情報処理装置が備える表示部及び入力部において、上述の各種表示及び各種入力の受け付けが実現され、例えば、図９から図１２に示す画面は、情報処理装置が備える表示部に表示される。
【００９１】
加えて、上記実施形態では、コピー機能に関する設定変更について例示したが、他の機能に関する設定変更についても、同様のユーザーインターフェースで実現できるのはもちろんである。
【００９２】
また、上記実施形態では、ファクス機能、スキャン機能、コピー機能などを備える複合機１を例に挙げたが、単機能のプリンタ、単機能のイメージスキャナ、単機能のファクシミリ装置などにおいても、本発明の構成を採用することができる。また、上述したパーソナルコンピュータ（ＰＣ）やスマートフォンなどの情報処理装置を、表示部及び入力部として利用する構成とする場合にも、そのような情報処理装置での制御対象については、上述のような単機能のプリンタ、スキャナ、ファクシミリ装置とすることができる。この場合、情報処理装置では、図３から図８のフローチャートが示す処理と同等な処理を実行させるためのプログラムを利用して、それら単機能の機器を対象とした表示及び入力などを実行することとなる。
【００９３】
本実施形態に記載のコピー装置は、画像を読み取って画像データを生成し、生成した画像データに基づく画像を形成するコピー処理を実行可能なコピー装置であって、表示手段と、前記表示手段へのタッチ入力を検出するタッチ検出手段と、前記コピー処理に関する複数の設定が予め組み合わされた設定の組である複数のプリセット設定組と、前記表示手段に１度に表示可能な数よりも多数のアイコンと、の対応情報を記憶するプリセット設定組記憶手段と、前記アイコンのうちいずれか１つのアイコンを選択するために、前記多数のアイコンのうち前記表示手段に１度に表示可能な数のアイコンを含むアイコン選択画面を前記表示手段に表示させるアイコン選択画面表示制御手段と、前記アイコン選択画面表示制御手段によって前記アイコン選択画面が前記表示手段に表示されている状態において、前記アイコン選択画面に含まれているアイコンを前記アイコン選択画面に含まれないようにさせ、前記多数のアイコンのうち前記アイコン選択画面に含まれていないアイコンを前記アイコン選択画面に含まれるようにさせるアイコン制御を行うアイコン制御手段と、スタートボタンへの操作に対して前記コピー処理を実行する際に用いられる設定値として、前記複数のアイコンのうち選択されたアイコンに対応するプリセット設定組の設定値を選択するプリセット設定組選択手段と、前記プリセット設定組選択手段が選択したプリセット設定組の設定値を用いたコピー処理の実行に用いられる設定値であって、用紙の種類、用紙のサイズ、拡大の指定、縮小の指定、の設定値のうち少なくとも一つの設定値を利用者に変更させるための設定値変更画面を前記表示手段に表示させる設定値変更画面表示制御手段と、前記プリセット設定組選択手段によって選択された設定値を用いたコピー処理を実行するコピー処理実行手段と、を備え、前記アイコン選択画面表示制御手段によって前記アイコン選択画面が前記表示手段に表示されている状態において、前記表示手段への第１のタッチ入力がなされたことに対応する信号の前記タッチ検出手段からの出力と、前記第１のタッチ入力と異なるタッチ入力である第２のタッチ入力が前記表示手段へなされたことに対応する信号の前記タッチ検出手段からの出力と、が行われたことによって、前記第１のタッチ入力とも前記第２のタッチ入力とも異なるタッチ入力が前記表示手段へなされたことに対応する信号が前記タッチ検出手段から出力されることを必要とせず、前記アイコン制御手段によるアイコン制御と、前記プリセット設定組選択手段による設定値の選択と、前記設定値変更画面表示制御手段による設定値変更画面の表示とが行われることを特徴とする。
【００９４】
本実施形態に記載のコピー装置は、さらに、前記アイコン選択画面表示制御手段によって前記アイコン選択画面が前記表示手段に表示されている状態において、前記表示手段への前記第１のタッチ入力がなされたことに対応する信号の前記タッチ検出手段からの出力が行われたことによって、前記アイコン制御手段によるアイコン制御が行われ、前記第２のタッチ入力が前記表示手段へなされたことに対応する信号の前記タッチ検出手段からの出力が行われたことによっては、前記アイコン制御手段による前記アイコン制御が行われない、ことを特徴としてもよい。
【００９５】
本実施形態に記載のコピー装置は、さらに、前記アイコン選択画面表示制御手段によって前記アイコン選択画面が前記表示手段に表示されている状態において、前記表示手段への前記第２のタッチ入力がなされたことに対応する信号の前記タッチ検出手段からの出力が行われたことによって、前記設定値変更画面表示制御手段による設定値変更画面の表示が行われ、前記第１のタッチ入力が前記表示手段へなされたことに対応する信号の前記タッチ検出手段からの出力が行われたことによっては、前記設定値変更画面表示制御手段による設定値変更画面の表示が行われない、ことを特徴としてもよい。
【００９６】
本実施形態に記載のコピー装置は、さらに、前記設定値変更画面表示制御手段によって設定値変更画面が前記表示手段に表示されている状態において、前記プリセット設定組選択手段が選択したプリセット設定組の設定値を用いたコピー処理の実行に用いられる設定値の変更を指示する第３のタッチ入力が前記表示手段へなされたことに対応する信号の前記タッチ検出手段からの出力なされると、前記プリセット設定組選択手段が選択したプリセット設定組を用いたコピー処理の実行に用いられる設定値を変更させる設定値変更手段を備え、前記コピー処理実行手段は、前記アイコン選択画面表示制御手段によって前記アイコン選択画面が前記表示手段に表示されている状態において、前記表示手段への第１のタッチ入力がなされたことに対応する信号の前記タッチ検出手段からの出力と、前記第２のタッチ入力が前記表示手段へなされたことに対応する信号の前記タッチ検出手段からの出力と、が行われた後に、前記表示手段への第３のタッチ入力がなされたことに対応する信号の前記タッチ検出手段からの出力がされず、実行ボタンへの操作が受け付けられた場合には、前記プリセット設定組選択手段が選択したプリセット設定組の設定値を用いたコピー処理を実行し、前記表示手段への第３のタッチ入力がなされたことに対応する信号の前記タッチ検出手段からの出力がされてから、実行ボタンへの操作が受け付けられた場合には、前記プリセット設定値変更手段によって変更された設定値については、変更後の設定値を用いたコピー処理を実行する、ことを特徴としてもよい。
【００９７】
本実施形態に記載のコピー装置は、さらに、前記設定値変更画面表示制御手段は、前記プリセット設定組選択手段が選択したプリセット設定組の設定値を用いたコピー処理の実行に用いられる設定値を表示し、表示した設定値のうち、用紙の種類、用紙のサイズ、拡大の指定、縮小の指定、の設定値のうち少なくとも一つの設定値を利用者に変更させるための設定値変更画面を前記表示手段に表示させ、プリセット設定値変更手段は、前記設定値変更画面表示制御手段によって、前記プリセット設定組選択手段が選択したプリセット設定組の設定値を用いたコピー処理の実行に用いられる設定値を表示する設定値変更画面が前記表示手段に表示されている状態において、前記第３のタッチ入力が前記表示手段へなされたことに対応する信号の前記タッチ検出手段からの出力なされると、前記前記プリセット設定組選択手段が選択したプリセット設定組を用いたコピー処理の実行に用いられる設定値を変更させる、ことを特徴としてもよい。
【００９８】
本実施形態に記載のコピー装置は、さらに、前記設定値変更画面表示制御手段は、前記プリセット設定組選択手段が選択したプリセット設定組の設定値を用いたコピー処理の実行に用いられる設定値であって、用紙の種類、用紙のサイズ、拡大の指定、縮小の指定、の設定値のうち複数の設定値を利用者に変更させるための設定値変更画面を前記表示手段に表示させる、ことを特徴としてもよい。
【００９９】
本実施形態に記載のコピー装置は、さらに、前記プリセット設定組の設定値には、用紙の種類、用紙のサイズ、拡大の指定、縮小の指定、の設定値のうち複数の設定値が含まれる、ことを特徴としてもよい。
【０１００】
本実施形態に記載のコピー装置は、さらに、前記アイコン選択画面表示制御手段の作動に対応するアイコンと、前記アイコン選択画面とは異なる画面の表示に対応するアイコンとを選択する画面表示アイコン選択画面を前記表示手段に表示させる画面表示アイコン選択画面表示制御手段と、前記画面表示アイコン選択画面表示制御手段によって前記画面表示アイコン選択画面が前記表示手段に表示されている状態において、前記アイコン選択画面表示制御手段の作動に対応するアイコンを操作する第４のタッチ入力が前記表示手段へなされたことに対応する信号の前記タッチ検出手段からの出力が行われたことによって、前記アイコン選択画面表示制御手段を作動させて前記アイコン選択画面を前記表示手段に表示させる作動手段と、を備え、前記画面表示アイコン選択画面表示制御手段によって前記画面表示アイコン選択画面が前記表示手段に表示されている状態において、前記第４のタッチ入力が前記表示手段へなされたことに対応する信号の前記タッチ検出手段からの出力と、前記作動手段が前記アイコン選択画面表示制御手段を作動させることにより前記アイコン選択画面が表示手段に表示手段に表示された状態で、前記第２のタッチ入力が前記表示手段へなされたことに対応する信号の前記タッチ検出手段からの出力と、が行われたことによって、前記第１のタッチ入力が前記表示手段へなされたことに対応する信号が前記タッチ検出手段から出力されることを必要とせず、かつ、前記第１〜第４のタッチ入力と異なるタッチ入力が前記表示手段へなされたことに対応する信号が前記タッチ検出手段から出力されることを必要とせず、前記プリセット設定組選択手段による設定値の選択と、前記設定値変更画面表示制御手段による設定値変更画面の表示とが行われる、ことを特徴としてもよい。
【０１０１】
本実施形態に記載のコピー装置は、さらに、前記アイコン選択画面表示制御手段によって前記アイコン選択画面が前記表示手段に表示されている状態において、前記アイコンに対応する領域上のタッチ位置を一の方向へ移動するタッチ入力を、前記第１のタッチ入力とし、前記第１のタッチ入力が前記表示手段へなされたことに対応する信号の前記タッチ検出手段からの出力が行われたことによって、前記アイコン制御手段によるアイコン制御が行われる、ことを特徴としてもよい。
【０１０２】
本実施形態に記載のコピー装置は、さらに、前記アイコン選択画面表示制御手段によって前記アイコン選択画面が前記表示手段に表示されている状態において、前記アイコン制御手段によるアイコン制御に対応する領域上のタッチ位置へのタッチ入力を、前記第１のタッチ入力とし、前記第１のタッチ入力が前記表示手段へなされたことに対応する信号の前記タッチ検出手段からの出力が行われたことによって、前記アイコン制御手段によるアイコン制御が行われる、ことを特徴としてもよい。
【０１０３】
本実施形態に記載のコピー装置は、さらに、前記アイコン選択画面表示制御手段によって前記アイコン選択画面が前記表示手段に表示されている状態において、前記アイコン選択画面に含まれているアイコンのうち、前記プリセット設定組選択手段によって設定値が選択されていないプリセット設定組に対応するアイコンの表示位置へのタッチ入力を、前記第１のタッチ入力とし、前記第１のタッチ入力が前記表示手段へなされたことに対応する信号の前記タッチ検出手段からの出力が行われたことによって、前記プリセット設定組選択手段による設定値の選択が行われる、ことを特徴としてもよい。
【０１０４】
本実施形態に記載のコピー装置は、さらに、前記アイコン選択画面表示制御手段によって前記アイコン選択画面が前記表示手段に表示されている状態において、前記表示手段への第１のタッチ入力がなされたことに対応する信号の前記タッチ検出手段からの出力によって、前記アイコン制御手段によるアイコン制御と、前記プリセット設定組選択手段による設定値の選択と、を行う、ことを特徴としてもよい。
【０１０５】
本実施形態に記載のコピー装置は、さらに、１の原稿を読み取って、１のプリセット設定組を用いたコピー処理を実行して生成された画像の特徴は、前記１の原稿を読み取って、他のプリセット設定組を用いたコピー処理を実行して生成された画像とは異なる特徴を持つ画像である、ことを特徴としてもよい。
【０１０６】
本実施形態に記載のコピー装置は、さらに、前記アイコン制御手段は、前記アイコン選択画面表示制御手段によって前記アイコン選択画面が前記表示手段に表示されている状態において、前記アイコン選択画面に含まれているアイコンを前記アイコン選択画面に含まれないようにスクロールさせ、前記多数のアイコンのうち前記アイコン選択画面に含まれていないアイコンを前記アイコン選択画面に含まれるようにスクロールさせる、ことを特徴としてもよい。
【０１０７】
本実施形態に記載の複合機は、画像を読み取って画像データを生成する処理、および、生成した画像データに基づく画像を形成する処理を実行可能な複合機であって、表示手段と、前記表示手段へのタッチ入力を検出するタッチ検出手段と、前記処理に関する複数の設定が予め組み合わされた設定の組である複数のプリセット設定組と、前記表示手段に１度に表示可能な数よりも多数のアイコンと、の対応情報を記憶するプリセット設定組記憶手段と、前記アイコンのうちいずれか１つのアイコンを選択するために、前記多数のアイコンのうち前記表示手段に１度に表示可能な数のアイコンを含むアイコン選択画面を前記表示手段に表示させるアイコン選択画面表示制御手段と、前記アイコン選択画面表示制御手段によって前記アイコン選択画面が前記表示手段に表示されている状態において、前記アイコン選択画面に含まれているアイコンを前記アイコン選択画面に含まれないようにさせ、前記多数のアイコンのうち前記アイコン選択画面に含まれていないアイコンを前記アイコン選択画面に含まれるようにさせるアイコン制御を行うアイコン制御手段と、実行ボタンへの操作に対して前記処理を実行する際に用いられる設定値として、前記複数のアイコンのうち選択されたアイコンに対応するプリセット設定組の設定値を選択するプリセット設定組選択手段と、前記プリセット設定組選択手段が選択したプリセット設定組の設定値を用いた処理の実行に用いられる設定値であって、用紙の種類、用紙のサイズ、拡大の指定、縮小の指定、の設定値のうち少なくとも一つの設定値を利用者に変更させるため
の設定値変更画面を前記表示手段に表示させる設定値変更画面表示制御手段と、前記プリセット設定組選択手段によって選択された設定値を用いた前記処理を実行する処理実行手段と、を備え、前記アイコン選択画面表示制御手段によって前記アイコン選択画面が前記表示手段に表示されている状態において、前記表示手段への第１のタッチ入力がなされたことに対応する信号の前記タッチ検出手段からの出力と、前記第１のタッチ入力と異なるタッチ入力である第２のタッチ入力が前記表示手段へなされたことに対応する信号の前記タッチ検出手段からの出力と、が行われたことによって、前記第１のタッチ入力とも前記第２のタッチ入力とも異なるタッチ入力が前記表示手段へなされたことに対応する信号が前記タッチ検出手段から出力されることを必要とせず、前記アイコン制御手段によるアイコン制御と、前記プリセット設定組選択手段による設定値の選択と、前記設定値変更画面表示制御手段による設定値変更画面の表示とが行われることを特徴とする。
【０１０８】
本実施形態に記載のコピー装置は、原稿用紙に形成された画像を読み取って画像データを生成し、生成した画像データに基づく画像を記録用紙に形成するコピー処理を実行可能なコピー装置であって、表示手段と、前記表示手段へのタッチ入力、および、フリック入力を検出する入力検出手段と、前記コピー処理の複数の設定が予め組み合わされた設定の組である複数のプリセット設定組と、前記表示手段に１度に表示可能な数よりも多数のプリセット設定組アイコンと、の対応情報を記憶するプリセット設定組記憶手段と、前記プリセット設定組アイコンのうちいずれか１つのプリセット設定組アイコンを選択するために、前記多数のプリセット設定組アイコンのうち前記表示手段に１度に表示可能な数のプリセット設定組アイコンを含むプリセット設定組アイコン選択画面を前記表示手段に表示させるプリセット設定組アイコン選択画面表示制御手段と、前記プリセット設定組アイコン選択画面表示制御手段によって前記プリセット設定組アイコン選択画面が前記表示手段に表示されている状態において、前記プリセット設定組アイコン選択画面に含まれているプリセット設定組アイコンを前記プリセット設定組アイコン選択画面に含まれないようにさせ、前記多数のプリセット設定組アイコンのうち前記プリセット設定組アイコン選択画面に含まれていないプリセット設定組アイコンを前記プリセット設定組アイコン選択画面に含まれるようにさせるよう、前記多数のプリセット設定組アイコンをスクロールさせるプリセット設定組アイコンスクロール制御を行うプリセット設定組アイコンスクロール制御手段と、スタートボタンへの操作に対して前記コピー処理を実行する際に用いられる設定値として、前記複数のプリセット設定組アイコンのうち選択されたプリセット設定組アイコンに対応するプリセット設定組の設定値を選択するプリセット設定組選択手段と、前記プリセット設定組選択手段が選択したプリセット設定組の設定値を用いたコピー処理の実行に用いられる設定値であって、記録用紙の種類、記録用紙のサイズ、拡大縮小の指定、の設定値の変更操作を利用者にさせるために、記録用紙の種類、記録用紙のサイズ、拡大縮小の指定を含む複数の設定項目のうち前記表示手段に１度に表示可能な数の設定項目を含む設定項目表示画面を前記表示手段に表示させる設定項目表示制御手段と、前記設定項目表示制御手段によって前記設定項目表示画面が前記表示手段に表示されている状態において、前記表示手段の、前記設定項目が表示されている領域であり、かつ、タッチ入力を受付可能な領域へのタッチ入力を伴う、利用者による変更操作によって、前記プリセット設定組選択手段が選択したプリセット設定組の設定値を変更する設定値変更手段と、スタートボタンへの操作に対して、前記プリセット設定組選択手段が選択した設定値が前記設定値変更手段によって変更されていない場合は、前記プリセット設定組選択手段が選択したプリセット設定組の設定値を用いたコピー処理を実行し、前記プリセット設定組選択手段が選択した設定値が前記設定値変更手段によって変更された場合は、変更された設定値を用いたコピー処理を実行するコピー処理実行手段と、を備え、前記プリセット設定組アイコン選択画面表示制御手段によって前記プリセット設定組アイコン選択画面が前記表示手段に表示されている状態において、前記表示手段への第１のフリック入力がなされたことに対応する信号の前記入力検出手段からの出力と、前記第１のフリック入力と異なるタッチ入力である第２のタッチ入力が前記表示手段へなされたことに対応する信号の前記入力検出手段からの出力と、が行われたことによって、前記第１のフリック入力とも前記第２のタッチ入力とも異なるフリック入力またはタッチ入力が前記表示手段へなされたことに対応する信号が前記入力検出手段から出力されることを必要とせず、前記プリセット設定組アイコンスクロール制御手段によるプリセット設定組アイコンスクロール制御と、前記プリセット設定組選択手段による設定値の選択と、前記設定項目表示制御手段による設定項目表示画面の表示とが行われ、前記プリセット設定組アイコンスクロール制御手段によるプリセット設定組アイコンスクロール制御は、前記プリセット設定組アイコン選択画面表示制御手段によって前記プリセット設定組アイコン選択画面が前記表示手段に表示されている状態において、前記表示手段の、前記プリセット設定組アイコンが表示されている領域であり、かつ、フリック入力を受付可能な領域への前記第１のフリック入力がなされたことに対応する信号の前記入力検出手段からの出力が行われたことによって行われ、前記設定項目表示制御手段による設定項目表示画面の表示は、前記プリセット設定組アイコンスクロール制御手段によるプリセット設定組アイコンスクロール制御が行われた後に、前記表示手段内の、前記プリセット設定組アイコン選択画面表示制御手段によって前記プリセット設定組アイコン選択画面が前記表示手段に表示されている状態において前記第２のタッチ入力を受付可能な領域への前記第２のタッチ入力がなされたことに対応する信号の前記入力検出手段からの出力が行われたことによって行われ、前記表示手段内の、前記プリセット設定組アイコン選択画面表示制御手段によって前記プリセット設定組アイコン選択画面が前記表示手段に表示されている状態において前記プリセット設定組アイコンが表示されている領域であり、かつ、フリック入力を受付可能な領域と、前記表示手段内の、前記プリセット設定組アイコン選択画面表示制御手段によって前記プリセット設定組アイコン選択画面が前記表示手段に表示されている状態において前記第２のタッチ入力を検出可能な領域と、はいずれも、前記設定項目表示制御手段が前記設定項目表示画面を前記表示手段に表示するときに、前記設定項目表示制御手段が前記設定項目を表示する領域であり、かつ、タッチ入力を受付可能な領域と重複する領域である、ことを特徴とする。
【０１０９】
本実施形態に記載のコピー装置は、原稿用紙に形成された画像を読み取って画像データを生成し、生成した画像データに基づく画像を記録用紙に形成するコピー処理を実行可能なコピー装置であって、表示手段と、前記表示手段へのタッチ入力、および、ムーブ入力を検出する入力検出手段と、前記コピー処理の複数の設定が予め組み合わされた設定の組である複数のプリセット設定組と、前記表示手段に１度に表示可能な数よりも多数のプリセット設定組アイコンと、の対応情報を記憶するプリセット設定組記憶手段と、前記プリセット設定組アイコンのうちいずれか１つのプリセット設定組アイコンを選択するために、前記多数のプリセット設定組アイコンのうち前記表示手段に１度に表示可能な数のプリセット設定組アイコンを含むプリセット設定組アイコン選択画面を前記表示手段に表示させるプリセット設定組アイコン選択画面表示制御手段と、前記プリセット設定組アイコン選択画面表示制御手段によって前記プリセット設定組アイコン選択画面が前記表示手段に表示されている状態において、前記プリセット設定組アイコン選択画面に含まれているプリセット設定組アイコンを前記プリセット設定組アイコン選択画面に含まれないようにさせ、前記多数のプリセット設定組アイコンのうち前記プリセット設定組アイコン選択画面に含まれていないプリセット設定組アイコンを前記プリセット設定組アイコン選択画面に含まれるようにさせるよう、前記多数のプリセット設定組アイコンをスクロールさせるプリセット設定組アイコンスクロール制御を行うプリセット設定組アイコンスクロール制御手段と、スタートボタンへの操作に対して前記コピー処理を実行する際に用いられる設定値として、前記複数のプリセット設定組アイコンのうち選択されたプリセット設定組アイコンに対応するプリセット設定組の設定値を選択するプリセット設定組選択手段と、前記プリセット設定組選択手段が選択したプリセット設定組の設定値を用いたコピー処理の実行に用いられる設定値であって、記録用紙の種類、記録用紙のサイズ、拡大縮小の指定、の設定値の変更操作を利用者にさせるために、記録用紙の種類、記録用紙のサイズ、拡大縮小の指定を含む複数の設定項目のうち前記表示手段に１度に表示可能な数の設定項目を含む設定項目表示画面を前記表示手段に表示させる設定項目表示制御手段と、前記設定項目表示制御手段によって前記設定項目表示画面が前記表示手段に表示されている状態において、前記表示手段の、前記設定項目が表示されている領域であり、かつ、タッチ入力を受付可能な領域へのタッチ入力を伴う、利用者による変更操作によって、前記プリセット設定組選択手段が選択したプリセット設定組の設定値を変更する設定値変更手段と、スタートボタンへの操作に対して、前記プリセット設定組選択手段が選択した設定値が前記設定値変更手段によって変更されていない場合は、前記プリセット設定組選択手段が選択したプリセット設定組の設定値を用いたコピー処理を実行し、前記プリセット設定組選択手段が選択した設定値が前記設定値変更手段によって変更された場合は、変更された設定値を用いたコピー処理を実行するコピー処理実行手段と、を備え、前記プリセット設定組アイコン選択画面表示制御手段によって前記プリセット設定組アイコン選択画面が前記表示手段に表示されている状態において、前記表示手段への第１のムーブ入力がなされたことに対応する信号の前記入力検出手段からの出力と、前記第１のムーブ入力と異なるタッチ入力である第２のタッチ入力が前記表示手段へなされたことに対応する信号の前記入力検出手段からの出力と、が行われたことによって、前記第１のムーブ入力とも前記第２のタッチ入力とも異なるムーブ入力またはタッチ入力が前記表示手段へなされたことに対応する信号が前記入力検出手段から出力されることを必要とせず、前記プリセット設定組アイコンスクロール制御手段によるプリセット設定組アイコンスクロール制御と、前記プリセット設定組選択手段による設定値の選択と、前記設定項目表示制御手段による設定項目表示画面の表示とが行われ、前記プリセット設定組アイコンスクロール制御手段によるプリセット設定組アイコンスクロール制御は、前記プリセット設定組アイコン選択画面表示制御手段によって前記プリセット設定組アイコン選択画面が前記表示手段に表示されている状態において、前記表示手段の、前記プリセット設定組アイコンが表示されている領域であり、かつ、前記第１のムーブ入力を受付可能な領域への前記第１のムーブ入力がなされたことに対応する信号の前記入力検出手段からの出力が行われたことによって行われ、前記設定項目表示制御手段による設定項目表示画面の表示は、前記プリセット設定組アイコンスクロール制御手段によるプリセット設定組アイコンスクロール制御が行われた後に、前記表示手段内の、前記プリセット設定組アイコン選択画面表示制御手段によって前記プリセット設定組アイコン選択画面が前記表示手段に表示されている状態において前記第２のタッチ入力を受付可能な領域への前記第２のタッチ入力がなされたことに対応する信号の前記入力検出手段からの出力が行われたことによって行われ、前記表示手段内の、前記プリセット設定組アイコン選択画面表示制御手段によって前記プリセット設定組アイコン選択画面が前記表示手段に表示されている状態において前記プリセット設定組アイコンが表示されている領域であり、かつ、前記第１のムーブ入力を受付可能な領域と、前記表示手段内の、前記プリセット設定組アイコン選択画面表示制御手段によって前記プリセット設定組アイコン選択画面が前記表示手段に表示されている状態において前記第２のタッチ入力を検出可能な領域と、はいずれも、前記設定項目表示制御手段が前記設定項目表示画面を前記表示手段に表示するときに、前記設定項目表示制御手段が前記設定項目を表示する領域であり、かつ、タッチ入力を受付可能な領域と重複する領域である、ことを特徴とする。
【０１１０】
本実施形態に記載のコピー装置は、原稿用紙に形成された画像を読み取って画像データを生成し、生成した画像データに基づく画像を記録用紙に形成するコピー処理を実行可能なコピー装置であって、表示手段と、前記表示手段へのタッチ入力を検出する入力検出手段と、前記コピー処理の複数の設定が予め組み合わされた設定の組である複数のプリセット設定組と、前記表示手段に１度に表示可能な数よりも多数の設定組アイコンと、の対応情報を記憶するプリセット設定組記憶手段と、前記設定組アイコンのうちいずれか１つの設定組アイコンを選択するために、前記多数の設定組アイコンのうち前記表示手段に１度に表示可能な数の設定組アイコンを含む設定組アイコン選択画面を前記表示手段に表示させる設定組アイコン選択画面表示制御手段と、スキャン機能と、前記プリセット設定組の設定値を用いてコピー処理を実行するプリセット設定コピー機能と、を含む複数の機能を選択するために、前記複数の機能に対応する複数の機能アイコンを含む基本画面を前記表示手段に表示させる基本画面表示制御手段と、前記設定組アイコン選択画面表示制御手段によって前記設定組アイコン選択画面が前記表示手段に表示されている状態において、前記設定組アイコン選択画面に含まれている設定組アイコンを前記設定組アイコン選択画面に含まれないようにさせ、前記多数の設定組アイコンのうち前記設定組アイコン選択画面に含まれていない設定組アイコンを前記設定組アイコン選択画面に含まれるようにさせる設定組アイコン制御を行う設定組アイコン制御手段と、スタートボタンへの操作に対して前記コピー処理を実行する際に用いられる設定値として、前記複数の設定組アイコンのうち選択された設定組アイコンに対応するプリセット設定組の設定値を選択するプリセット設定組選択手段と、前記プリセット設定組選択手段が選択したプリセット設定組の設定値を用いたコピー処理の実行に用いられる設定値であって、記録用紙の種類、記録用紙のサイズ、拡大縮小の指定、の設定値の変更操作を利用者にさせるために、記録用紙の種類、記録用紙のサイズ、拡大縮小の指定を含む複数の設定項目のうち前記表示手段に１度に表示可能な数の設定項目を含む設定項目表示画面を前記表示手段に表示させる設定項目表示制御手段と、前記設定項目表示制御手段によって前記設定項目表示画面が前記表示手段に表示されている状態において、前記表示手段の、前記設定項目が表示されている領域へのタッチ入力を伴う、利用者による変更操作によって、前記プリセット設定組選択手段が選択したプリセット設定組の設定値を変更する設定値変更手段と、スタートボタンへの操作に対して、前記プリセット設定組選択手段が選択した設定値が前記設定値変更手段によって変更されていない場合は、前記プリセット設定組選択手段が選択したプリセット設定組の設定値を用いたコピー処理を実行し、前記プリセット設定組選択手段が選択した設定値が前記設定値変更手段によって変更された場合は、変更された設定値を用いたコピー処理を実行するコピー処理実行手段と、を備え、前記設定組アイコン選択画面表示制御手段によって前記設定組アイコン選択画面が前記表示手段に表示されている状態において、前記表示手段への第１のタッチ入力がなされたことに対応する信号の前記入力検出手段からの出力と、前記第１のタッチ入力と異なるタッチ入力である第２のタッチ入力が前記表示手段へなされたことに対応する信号の前記入力検出手段からの出力と、が行われたことによって、前記第１のタッチ入力とも前記第２のタッチ入力とも異なるタッチ入力が前記表示手段へなされたことに対応する信号が前記入力検出手段から出力されることを必要とせず、前記設定組アイコン制御手段による設定組アイコン制御と、前記プリセット設定組選択手段による設定値の選択と、前記設定項目表示制御手段による設定項目表示画面の表示とが行われ、前記基本画面表示制御手段による、前記表示手段への前記基本画面の表示は、前記コピー装置が待機状態である場合に行われ、前記設定組アイコン選択画面表示制御手段による、前記表示手段への前記設定組アイコン選択画面の表示は、前記基本画面表示制御手段によって前記基本画面が前記表示手段に表示されている状態において、前記表示手段の、前記プリセット設定コピー機能に対応する機能アイコンが表示されている領域へのタッチ入力がなされたことに対応する信号の前記入力検出手段からの出力が行われたことによって行われ、前記設定組アイコン制御手段による設定組アイコン制御は、前記設定組アイコン選択画面表示制御手段によって前記設定組アイコン選択画面が前記表示手段に表示されている状態において、前記表示手段の、前記設定組アイコンが表示されている領域への前記第１のタッチ入力がなされたことに対応する信号の前記入力検出手段からの出力が行われたことによって行われ、前記設定項目表示制御手段による設定項目表示画面の表示は、前記設定組アイコン制御手段による設定組アイコン制御が行われた後に、前記表示手段への前記第２のタッチ入力がなされたことに対応する信号の前記入力検出手段からの出力が行われたことによって行われ、前記表示手段内の、前記基本画面表示制御手段によって前記基本画面が前記表示手段に表示されている状態において前記プリセット設定コピー機能に対応する機能アイコンが表示されている領域と、前記表示手段内の、前記設定組アイコン選択画面表示制御手段によって前記設定組アイコン選択画面が前記表示手段に表示されている状態において前記設定組アイコンが表示されている領域と、前記表示手段内の、前記設定組アイコン選択画面表示制御手段によって前記設定組アイコン選択画面が前記表示手段に表示されている状態において前記第２のタッチ入力を検出可能な領域と、はいずれも、前記設定項目表示制御手段が前記設定項目表示画面を前記表示手段に表示するときに、前記設定項目表示制御手段が前記設定項目を表示する領域と重複する領域である、ことを特徴とする。
【符号の説明】
【０１１１】
１・・・複合機、１１・・・制御部、１２・・・画像読取部、１３・・・画像形成部、１４・・・ネットワーク通信部、１５・・・電話通信部、１６・・・操作パネル部、１６Ａ・・・液晶ディスプレイ部、１６Ｂ・・・内照式表示部、１６Ｃ・・・タッチパネル部
【図１】
0005510566.tif 000002
【図２】
0005510566.tif 000003
【図３】
0005510566.tif 000004
【図４】
0005510566.tif 000005
【図５】
0005510566.tif 000006
【図６】
0005510566.tif 000007
【図７】
0005510566.tif 000008
【図８】
0005510566.tif 000009
【図９】
0005510566.tif 000010
【図１０】
0005510566.tif 000011
【図１１】
0005510566.tif 000012
【図１２】
0005510566.tif 000013
【図１３】
0005510566.tif 000014
【図１４】
0005510566.tif 000015